(57)【特許請求の範囲】
【請求項１】
第１ヒートポンプ機器（１００ａ，７１０ａ）を含む第１機器群（１００，７１０，５００）のデマンドレスポンス関連制御を行う第１アグリゲータ装置（１０，７１，３１０，４１０）と、
前記第１機器群とは異なる第２機器群（２００，４００，６００，７２０，７３０）のデマンドレスポンス関連制御を行う第２アグリゲータ装置（２０，７２，７３，３２０，４２０）と、
前記第１アグリゲータ装置及び前記第２アグリゲータ装置に対し、前記第１アグリゲータ装置及び前記第２アグリゲータ装置に共通のコマンドを用いて、エネルギー調整要求を送信する第１上位アグリゲータ装置（３０，５０，６０，４３０）と、
を備え、
前記第１アグリゲータ装置は、前記エネルギー調整要求に応じ、前記第１機器群用の第１専用コマンドを用いて、複数の建物に設置されている前記第１機器群のデマンドレスポンス関連制御を行い、
前記第２アグリゲータ装置は、前記エネルギー調整要求に応じ、前記第１専用コマンドとは異なる、前記第２機器群用の第２専用コマンドを用いて、複数の建物に設置されている前記第２機器群のデマンドレスポンス関連制御を行う、
デマンドレスポンスシステム（１Ａ，１Ｂ，１Ｃ）。
【請求項２】
前記第１機器群のデマンドレスポンス関連制御には、前記エネルギー調整要求に応じ蓄熱体に蓄熱する制御、及び、前記エネルギー調整要求に応じ前記蓄熱体から放熱する制御の少なくとも一方を含む、
請求項１に記載のデマンドレスポンスシステム。
【請求項３】
前記第１機器群のデマンドレスポンス関連制御は、前記第１ヒートポンプ機器の電力使用量を減少させる制御、前記第１ヒートポンプ機器の電力使用量を増加させる制御、前記第１ヒートポンプ機器を停止させるための停止制御、及び前記第１ヒートポンプ機器を起動させるための起動制御、の少なくとも１つを含む、
請求項２に記載のデマンドレスポンスシステム。
【請求項４】
前記第１上位アグリゲータ装置は、電力使用量の目標調整量を前記第１アグリゲータ装置及び前記第２アグリゲータ装置に分配し、それぞれ第１要求量及び第２要求量として、前記第１アグリゲータ装置及び前記第２アグリゲータ装置に、前記エネルギー調整要求と共に送信し、
前記第１アグリゲータ装置は、前記第１要求量を前記第１機器群の各機器に分配し、前記第１要求量の分配結果に基づいて前記第１機器群のデマンドレスポンス関連制御を行い、
前記第２アグリゲータ装置は、前記第２要求量を前記第２機器群の各機器に分配し、前記第２要求量の分配結果に基づいて前記第２機器群のデマンドレスポンス関連制御を行う、
請求項１から３のいずれか１項に記載のデマンドレスポンスシステム。
【請求項５】
前記目標調整量を前記第１上位アグリゲータ装置（５０，６０）に送信する第２上位アグリゲータ装置（３３０）、を更に備え、
前記第１機器群（１００，７１０）は、複数の前記第１ヒートポンプ機器（１００ａ，７１０ａ）のみからなり、
前記第２機器群（２００，７２０，７３０）は、複数の第２ヒートポンプ機器（２００ａ，７２０ａ，７３０ａ）のみからなり、
前記第１ヒートポンプ機器及び前記第２ヒートポンプ機器は、同一種類のヒートポンプ機器である、
請求項４に記載のデマンドレスポンスシステム（１Ｂ）。
【請求項６】
前記第２機器群には、エネルギーを蓄える機器を含む、
請求項１から４のいずれか１項に記載のデマンドレスポンスシステム。
【請求項７】
前記第２機器群には、蓄電池を有する機器を含む、
請求項６に記載のデマンドレスポンスシステム。
【発明の詳細な説明】
【技術分野】
【０００１】
本発明は、デマンドレスポンスシステムに関する。
【背景技術】
【０００２】
従来、電力制御装置が、電力供給者からの電力使用量の調整要求に応じて、複数の電力需要者の、複数の機器の電力使用量の制御を行うデマンドレスポンスシステムが知られている。例えば、特許文献１（特開２０１２−６５４０７号公報）に開示された電力制御システムでは、デマンドレスポンスサーバが、電力供給者の電力使用量の調整要求に応じて、複数のビルに設置された空調機器や照明機器等の電力使用量の制御を行っている。
【０００３】
なお、特許文献１（特開２０１２−６５４０７号公報）のようなデマンドレスポンスシステムにおいて精度よくデマンドレスポンスを実現するためには、デマンドレスポンスサーバは、各機器の制御仕様に応じたコマンド（制御指令）を用いて、機器の電力使用量の制御を行うことが望ましい。特に、高精度のデマンドレスポンスを実現する上では、ヒートポンプ機器等の蓄エネルギー機器を適切に運用することが重要であり、その制御仕様に応じたコマンドを用いて蓄エネルギー機器の電力使用量を制御することが重要になる。
【発明の概要】
【発明が解決しようとする課題】
【０００４】
さて、特許文献１（特開２０１２−６５４０７号公報）のようなデマンドレスポンスシステムでは、電力需要者が、多種多様な機器を使用する可能性がある。このような場合でも、デマンドレスポンスサーバは、各機器の制御仕様に応じたコマンドを用いて、機器の電力使用量の制御を行うことが望ましい。しかし、デマンドレスポンスサーバが、多種多様な機器に対して、全ての制御仕様別にコマンドを準備することは、現実には困難である。そのため、機器の標準化仕様が策定され、標準化仕様に応じて開発された共通コマンドを用いて、デマンドレスポンスサーバにより機器が制御されることが望ましい。
【０００５】
しかし、多種多様な機器に対して標準化された制御仕様を策定するためには、多大な労力及びコストが必要となる。また、標準化された制御仕様を策定するためには、各機器の製造者がその機器の制御仕様を開示する必要があるが、機器の製造者がそのような開示に応じることは困難である場合も多い。つまり、標準化された制御仕様を策定し、その制御仕様に応じた共通コマンドの開発が必要であることが、機器の製造者のデマンドレスポンスシステムへの参加障壁となっている。
【０００６】
本発明の課題は、機器の電力使用量の制御を行うデマンドレスポンスシステムであって、全ての機器を制御する共通コマンドを開発することなく、高精度のデマンドレスポンスを実現可能なデマンドレスポンスシステムを提供することにある。
【課題を解決するための手段】
【０００７】
本発明の第１観点に係るデマンドレスポンスシステムは、第１アグリゲータ装置と、第２アグリゲータ装置と、第１上位アグリゲータ装置と、を備える。第１アグリゲータ装置は、ヒートポンプ機器を含む第１機器群のデマンドレスポンス関連制御を行う。第２アグリゲータ装置は、第１機器群とは異なる第２機器群のデマンドレスポンス関連制御を行う。第１上位アグリゲータ装置は、第１アグリゲータ装置及び第２アグリゲータ装置に対し、第１アグリゲータ装置及び第２アグリゲータ装置に共通のコマンドを用いて、エネルギー調整要求を送信する。第１アグリゲータ装置は、エネルギー調整要求に応じ、第１機器群用の第１専用コマンドを用いて、複数の建物に設置されている第１機器群のデマンドレスポンス関連制御を行う。第２アグリゲータ装置は、エネルギー調整要求に応じ、第１専用コマンドとは異なる、第２機器群用の第２専用コマンドを用いて、複数の建物に設置されている第２機器群のデマンドレスポンス関連制御を行う。
【０００８】
ここでは、第１アグリゲータ装置が第１専用コマンドを用いて第１機器群のデマンドレスポンス関連制御を行い、第２アグリゲータ装置が第２専用コマンドを用いて第２機器群のデマンドレスポンス関連制御を行うため、第１上位アグリゲータ装置は、第１機器群及び第２機器群の機器の制御仕様について把握する必要がない。つまり、本デマンドレスポンスシステムでは、第１機器群及び第２機器群の機器の制御仕様を標準化し、全ての機器に共通のコマンドを開発しなくても、精度よくデマンドレスポンスを実現することが可能である。
【０００９】
本発明の第２観点に係るデマンドレスポンスシステムは、第１観点に係るデマンドレスポンスシステムであって、第１機器群のデマンドレスポンス関連制御には、エネルギー調整要求に応じ蓄熱体に蓄熱する制御、及び、エネルギー調整要求に応じ蓄熱体から放熱する制御の少なくとも一方を含む。なお、ここでの蓄熱体には、例えば、第１ヒートポンプ機器を用いて加熱／冷却される媒体（例えば水や空気）を含む。
【００１０】
ここでは、第１機器群のデマンドレスポンス関連制御に、蓄熱体に蓄熱する制御及び蓄熱体から放熱する制御の少なくとも一方が含まれるため、第１上位アグリゲータ装置のエネルギー調整要求に応じて、第１機器群の電力使用量を精度よく制御することが可能である。一方で、蓄熱体への蓄熱や、蓄熱体からの放熱を制御する場合、単に第１機器群の機器の運転／停止だけを制御するような場合に比べて細やかな制御が必要となる。しかし、第１アグリゲータ装置が第１専用コマンドを用いて第１機器群のデマンドレスポンス関連制御を行うので、第１上位アグリゲータ装置は、第１機器群の各機器の制御仕様について把握する必要がない。つまり、ここでは、第１上位アグリゲータ装置が第１機器群の機器の制御仕様を把握していなくても、高精度のデマンドレスポンスを実現可能である。
【００１１】
本発明の第３観点に係るデマンドレスポンスシステムは、第２観点に係るデマンドレスポンスシステムであって、第１機器群のデマンドレスポンス関連制御は、第１ヒートポンプ機器の電力使用量を減少させる制御、第１ヒートポンプ機器の電力使用量を増加させる制御、第１ヒートポンプ機器を安全に停止させるための停止制御、及び第１ヒートポンプ機器を起動させるための起動制御、の少なくとも１つを含む。
【００１２】
第１機器群のデマンドレスポンス関連制御に、第１ヒートポンプ機器の電力使用量を増加又は減少させる制御が含まれる場合には、第１ヒートポンプ機器の運転／停止だけを制御する場合に比べて、第１機器群の電力使用量を、第１上位アグリゲータ装置のエネルギー調整要求に応じて精度よく制御することが可能である。また、第１機器群のデマンドレスポンス関連制御に、第１ヒートポンプ機器の起動制御が含まれる場合には、ヒートポンプ機器の起動時の特性を踏まえた制御が可能である。
【００１３】
一方で、デマンドレスポンス関連制御に、このような第１ヒートポンプ機器の制御を含む場合、単に第１ヒートポンプ機器の運転／停止を制御するような場合に比べて細やかな制御が必要となる。しかし、第１アグリゲータ装置が第１専用コマンドを用いて第１ヒートポンプ機器を含む第１機器群のデマンドレスポンス関連制御を行うので、第１上位アグリゲータ装置は、第１ヒートポンプ機器の制御仕様について把握する必要がない。
【００１４】
つまり、ここでは、第１上位アグリゲータ装置が第１機器群の機器の制御仕様を把握していなくても、精度の高い、及び／又は、信頼性の高い、デマンドレスポンスを実現可能である。
【００１５】
本発明の第４観点に係るデマンドレスポンスシステムは、第１観点から第３観点のいずれかに係るデマンドレスポンスシステムであって、第１上位アグリゲータ装置は、電力使用量の目標調整量を第１アグリゲータ装置及び第２アグリゲータ装置に分配し、それぞれ第１要求量及び第２要求量として、第１アグリゲータ装置及び第２アグリゲータ装置に、エネルギー調整要求と共に送信する。第１アグリゲータ装置は、第１要求量を第１機器群の各機器に分配し、第１要求量の分配結果に基づいて第１機器群のデマンドレスポンス関連制御を行う。第２アグリゲータ装置は、第２要求量を第２機器群の各機器に分配し、第２要求量の分配結果に基づいて第２機器群のデマンドレスポンス関連制御を行う。
【００１６】
ここでは、第１上位アグリゲータ装置は、第１及び第２アグリゲータ装置に電力使用量の目標調整量を分配するだけでよく、第１機器群及び第２機器群の各機器への電力使用量の調整量の分配は、第１及び第２アグリゲータ装置により実行される。そのため、第１上位アグリゲータ装置は、第１及び第２アグリゲータ装置の需給調整特性について把握していればよく、第１機器群及び第２機器群の機器の制御仕様を把握する必要がない。つまり、ここでは、第１上位アグリゲータ装置が第１機器群及び第２機器群の機器の制御仕様を把握していなくても、デマンドレスポンスを精度よく実現できる。
【００１７】
本発明の第５観点に係るデマンドレスポンスシステムは、第４観点に係るデマンドレスポンスシステムであって、目標調整量を第１上位アグリゲータ装置に送信する第２上位アグリゲータ装置を更に備える。第１機器群は、複数の第１ヒートポンプ機器のみからなる。第２機器群は、複数の第２ヒートポンプ機器のみからなる。第１ヒートポンプ機器及び第２ヒートポンプ機器は、同一種類のヒートポンプ機器からなる。
【００１８】
ここでは、第１上位アグリゲータ装置は、同一種類のヒートポンプ機器を制御する第１及び第２アグリゲータ装置に目標調整量を分配する。そのため、第１上位アグリゲータ装置は、その種類のヒートポンプ機器の特性を踏まえたうえで、第１及び第２アグリゲータ装置に適切に目標調整量を分配可能である。その結果、ここでは、デマンドレスポンスが精度よく実現されやすい。
【００１９】
本発明の第６観点に係るデマンドレスポンスシステムは、第１観点から第４観点に係るデマンドレスポンスシステムであって、第２機器群には、エネルギーを蓄える機器を含む。
【００２０】
ここでは、第２機器群に、エネルギー（例えば電気や熱）を蓄える機器が含まれるため、第２機器群の電力使用量を、第１上位アグリゲータ装置のエネルギー調整要求に応じて精度よく制御することが可能である。
【００２１】
本発明の第７観点に係るデマンドレスポンスシステムは、第６観点に係るデマンドレスポンスシステムであって、第２機器群には、蓄電池を有する機器を含む。
【００２２】
ここでは、第２機器群に、電気を蓄える蓄電池を有する機器が含まれるため、第２機器群の電力使用量を、第１上位アグリゲータ装置のエネルギー調整要求に応じて精度よく制御することが可能である。
【発明の効果】
【００２３】
第１観点に係るデマンドレスポンスシステムでは、第１アグリゲータ装置が第１専用コマンドを用いて第１機器群のデマンドレスポンス関連制御を行い、第２アグリゲータ装置が第２専用コマンドを用いて第２機器群のデマンドレスポンス関連制御を行うため、第１上位アグリゲータ装置は、第１機器群及び第２機器群の機器の制御仕様について把握する必要がない。つまり、本デマンドレスポンスシステムでは、第１機器群及び第２機器群の機器の制御仕様を標準化し、全ての機器に共通のコマンドを開発しなくても、精度よくデマンドレスポンスを実現することが可能である。
【００２４】
第２観点に係るデマンドレスポンスシステムでは、機器の制御仕様を標準化し、全ての機器に共通のコマンドを開発しなくても、高精度のデマンドレスポンスを実現可能である。
【００２５】
第３観点に係るデマンドレスポンスシステムでは、各機器の制御仕様を標準化し、全ての機器に共通のコマンドを開発しなくても、精度の高い、及び／又は、信頼性の高い、デマンドレスポンスを実現可能である。
【００２６】
第４観点に係るデマンドレスポンスシステムでは、第１上位アグリゲータ装置が第１機器群及び第２機器群の機器の制御仕様を把握していなくても、デマンドレスポンスを精度よく実現できる。
【００２７】
第５観点に係るデマンドレスポンスシステムでは、デマンドレスポンスが精度よく実現されやすい。
【００２８】
第６及び第７観点に係るデマンドレスポンスシステムでは、第２機器群の電力使用量を、第１上位アグリゲータ装置のエネルギー調整要求に応じて精度よく制御することが可能である。
【図面の簡単な説明】
【００２９】
【図１】本発明の第１実施形態に係るデマンドレスポンスシステムを含む電力ネットワークの概略図である。
【図２】図１のデマンドレスポンスシステムの電力アグリゲータのブロック図である。
【図３】図１のデマンドレスポンスシステムの第１アグリゲータのブロック図である。
【図４】図１のデマンドレスポンスシステムの第２アグリゲータのブロック図である。
【図５】図１の第１暖房機器の概略構成図である。
【図６】図５の第１暖房機器のブロック図である。
【図７】図１のデマンドレスポンスシステムの、電力消費量の調整制御について説明するためのフローチャートである。
【図８】本発明の変形例１Ｃに係るデマンドレスポンスシステムを説明するための説明図である。
【図９】本発明の第２実施形態に係るデマンドレスポンスシステムを含む電力ネットワークの概略図である。
【図１０】図９のデマンドレスポンスシステムの電力アグリゲータのブロック図である。
【図１１】図９のデマンドレスポンスシステムの暖房機器アグリゲータのブロック図である。
【図１２】図９のデマンドレスポンスシステムの、電力消費量の調整制御について説明するためのフローチャートである。なお、図１３には、ルームエアコンアグリゲータ及びその下位の装置及び機器の制御については図示していない。
【図１３】本発明の第３実施形態に係るデマンドレスポンスシステムを含む電力ネットワークの概略図である。
【図１４】図１３のデマンドレスポンスシステムの、電力消費量の調整制御について説明するためのフローチャートである。なお、図１３には、第２アグリゲータ及びその下位の装置及び機器の制御については図示していない。
【発明を実施するための形態】
【００３０】
＜第１実施形態＞
本発明の第１実施形態にかかる、デマンドレスポンスシステム１Ａについて、図面を参照して説明する。なお、下記の実施形態は例示であり、本発明の趣旨を逸脱しない範囲で適宜変更可能である。
【００３１】
（１）全体構成
図１は、デマンドレスポンスシステム１Ａを含む電力ネットワークＡの概略図である。電力ネットワークＡは、電力会社９０と、デマンドレスポンスシステム１Ａと、第１暖房機器群１００と、第２暖房機器群２００と、を含む。デマンドレスポンスシステム１Ａは、電力アグリゲータ３０と、第１アグリゲータ１０と、第２アグリゲータ２０と、を備える。第１暖房機器群１００は、複数の第１暖房機器１００ａからなる。第２暖房機器群２００は、複数の第２暖房機器２００ａからなる。
【００３２】
電力会社９０は、電力需要者の有する第１及び第２暖房機器群１００，２００に、電力を供給する。また、電力会社９０は、電力需要者の有する、第１及び第２暖房機器群１００，２００に含まれない機器（図示せず）にも、電力を供給する。
【００３３】
電力会社９０は、管理装置９０ａを有する。管理装置９０ａは、電力会社９０の電力供給量と、電力需要者の電力使用量とがバランスするように、必要に応じて、電力アグリゲータ３０に電力使用量の調整要求を送信する。以下では、管理装置９０ａが電力アグリゲータ３０に対して送信する電力使用量の調整要求を、第１電力調整要求と呼ぶ。第１電力調整要求には、電力アグリゲータ３０に、電力使用量の削減を要求する抑制要求と、電力使用量の増加を要求する促進要求とがある。管理装置９０ａは、第１電力調整要求を送信する際に、電力使用量の調整要求期間と、電力使用量の目標調整量と、を電力アグリゲータ３０に送信する。電力使用量の調整要求期間は、管理装置９０ａが、電力アグリゲータ３０に、電力使用量の削減又は増加の実行を要求する期間である。電力使用量の目標調整量は、管理装置９０ａが、電力アグリゲータ３０に、電力使用量の削減又は増加を要求する量である。
【００３４】
電力アグリゲータ３０は、第１上位アグリゲータ装置の一例である。電力アグリゲータ３０は、上位側の電力会社９０の管理装置９０ａと、通信回線で接続されている（図１参照）。また、電力アグリゲータ３０は、下位側の第１及び第２アグリゲータ１０，２０と、通信回線で接続されている（図１参照）。
【００３５】
電力アグリゲータ３０は、管理装置９０ａから第１電力調整要求を受け付けると、その要求に応じるために、第１及び第２アグリゲータ１０，２０に対し、電力使用量の調整要求を送信する。言い換えれば、電力アグリゲータ３０は、管理装置９０ａから受け付けた調整要求期間において、第１及び第２アグリゲータ１０，２０により調整される電力使用量の合計が、管理装置９０ａから受け付けた目標調整量になるように、第１及び第２アグリゲータ１０，２０に電力使用量の調整要求を送信する。なお、以下では、電力アグリゲータ３０が第１及び第２アグリゲータ１０，２０に対して送信する電力使用量の調整要求を、第２電力調整要求と呼ぶ。第２電力調整要求は、エネルギー調整要求の一例である。
【００３６】
第１アグリゲータ１０は、第１アグリゲータ装置の一例である。第１アグリゲータ１０は、上位側の電力アグリゲータ３０と、通信回線により接続されている（図１参照）。また、第１アグリゲータ１０は、下位側の、第１暖房機器群１００の第１暖房機器１００ａと、通信回線により接続されている（図１参照）。
【００３７】
第１アグリゲータ１０は、電力アグリゲータ３０からの第２電力調整要求に応じ、複数の第１暖房機器１００ａからなる第１暖房機器群１００のデマンドレスポンス関連制御を行う。第１暖房機器群１００のデマンドレスポンス関連制御とは、電力アグリゲータ３０からの第２電力調整要求を満たすように、第１暖房機器群１００の電力使用量を調整する制御を意味する。第１アグリゲータ１０が、第１暖房機器群１００のデマンドレスポンス関連制御を行うことで、第１暖房機器群１００を構成する第１暖房機器１００ａがどのように制御されるかについては後述する。
【００３８】
第１暖房機器１００ａは、室内の暖房に用いられる機器である。第１暖房機器１００ａは、後述するように、ヒートポンプを熱源として利用する。第１暖房機器１００ａは、第１ヒートポンプ機器の一例である。
【００３９】
第１暖房機器１００ａは、複数の建物に設置されている。つまり、第１暖房機器１００ａは、全てが１つの建物にまとまって設置されているのではなく、複数の建物に分散して設置されている。ここでは、第１暖房機器１００ａは、住宅に設置されている。ただし、第１暖房機器１００ａの設置場所は例示であり、第１暖房機器１００ａは住宅以外の建物、例えば、オフィスや商業施設等に設置されていてもよい。また、第１暖房機器１００ａは、１つの建物に１つだけ設置されてもよいし、１つの建物に複数が設置されてもよい。
【００４０】
第１暖房機器群１００に属する第１暖房機器１００ａは、全て制御仕様が同一の機器である。第１暖房機器１００ａの制御仕様が同一であるとは、例えば、第１アグリゲータ１０から第１暖房機器１００ａに対して指示を与えるためのコマンドが、全ての第１暖房機器１００ａで共通することを含む。また、第１暖房機器１００ａの制御仕様が同一であるとは、例えば、第１暖房機器１００ａと第１アグリゲータ１０との間で通信を行うための通信プロトコルが、全ての第１暖房機器１００ａで同一であることを含む。また、第１暖房機器１００ａの制御仕様が同一であるとは、第１暖房機器１００ａの制御方法（例えば、第１暖房機器１００ａの起動時の制御方法）が、全ての第１暖房機器１００ａで同一であることを含む。なお、ここでの同一は、完全に同一である場合に限定されるものではない。例えば、ここでの同一には、第１アグリゲータ１０が共通のコマンドを用いて第１暖房機器１００ａを制御する上で特に支障の無い部分について、一部の制御仕様が一致しない場合を含んでもよい。
【００４１】
具体的には、ここでは、第１暖房機器１００ａは、全てある製造者Ｘ１により製造された製品である。第１アグリゲータ１０は、第１暖房機器群１００用の第１専用コマンド（製造者Ｘ１の第１暖房機器１００ａに固有の専用コマンド）を用いて、第１暖房機器群１００のデマンドレスポンス関連制御を行う。また、第１アグリゲータ１０と第１暖房機器１００ａとの間の通信には、製造者Ｘ１独自の通信プロトコルが用いられる。ただし、これに限定されるものではなく、第１アグリゲータ１０と第１暖房機器１００ａとの間の通信には、汎用的な通信プロトコルが用いられてもよい。
【００４２】
第２アグリゲータ１０は、第２アグリゲータ装置の一例である。第２アグリゲータ２０は、上位側の電力アグリゲータ３０と、通信回線により接続されている（図１参照）。また、第２アグリゲータ２０は、下位側の第２暖房機器群２００の第２暖房機器２００ａと、通信回線により接続されている（図１参照）。
【００４３】
第２アグリゲータ２０は、電力アグリゲータ３０からの第２電力調整要求に応じ、複数の第２暖房機器２００ａからなる第２暖房機器群２００のデマンドレスポンス関連制御を行う。第２暖房機器群２００のデマンドレスポンス関連制御とは、電力アグリゲータ３０からの第２電力調整要求を満たすように、第２暖房機器群２００の電力使用量を調整する制御を意味する。
【００４４】
第２暖房機器２００ａは、第２暖房機器２００ａは、第１暖房機器１００ａと同様の構成を有する暖房機器である。つまり、第２暖房機器２００ａ及び第１暖房機器１００ａは、同一種類のヒートポンプ機器である。
【００４５】
第２暖房機器２００ａは、複数の建物に設置されている。つまり、第２暖房機器２００ａは、第１暖房機器１００ａと同様に、全てが１つの建物にまとまって設置されているのではなく、複数の建物に分散して設置されている。ここでは、第２暖房機器２００ａは、住宅に設置されている。ただし、第２暖房機器２００ａの設置場所は例示であり、第２暖房機器２００ａも住宅以外の建物に設置されていてもよい。また、第２暖房機器２００ａは、１つの建物に１つだけ設置されてもよいし、１つの建物に複数が設置されてもよい。また、第２暖房機器２００ａは、第１暖房機器１００ａの設置された住宅に更に設置されてもよい。
【００４６】
第２暖房機器群２００に属する第２暖房機器２００ａは、全て制御仕様が同一の機器である。制御仕様が同一の意味するところは、上述したとおりであるので、ここでは説明を省略する。
【００４７】
ここでは、第２暖房機器２００ａは、製造者Ｘ１以外の、ある製造者Ｘ２により製造された製品である。第２アグリゲータ２０は、第２暖房機器群２００用の第２専用コマンド（製造者Ｘ２の第２暖房機器２００ａに固有の専用コマンド）を用いて、第２暖房機器群２００のデマンドレスポンス関連制御を行う。また、第２アグリゲータ２０と第２暖房機器２００ａとの間の通信には、製造者Ｘ２独自の通信プロトコルが用いられる。ただし、これに限定されるものではなく、第２アグリゲータ２０と第２暖房機器２００ａとの間の通信には、汎用的な通信プロトコルが用いられてもよい。
【００４８】
なお、第２暖房機器２００ａの制御仕様は、第１暖房機器１００ａの制御仕様とは、同一ではない。言い換えれば、第２暖房機器２００ａの制御仕様と、第１暖房機器１００ａの制御仕様とは、標準化が図られていない。そのため、第２専用コマンドは、第１専用コマンドと異なるコマンドである。
【００４９】
（２）詳細構成
以下に、電力アグリゲータ３０、第１アグリゲータ１０、第２アグリゲータ２０、第１暖房機器１００ａ、及び第２暖房機器２００ａについて説明する。
【００５０】
（２−１）電力アグリゲータ
電力アグリゲータ３０は、第１及び第２アグリゲータ１０，２０に対し、第２電力調整要求（エネルギー調整要求）を送信する第１上位アグリゲータ装置の一例である。
【００５１】
電力アグリゲータ３０は、図２に示すように、主に、送受信部３１と、制御部３２と、記憶部３３と、を有する。
【００５２】
（２−１−１）送受信部
送受信部３１は、図１のように、上位側の電力会社９０の管理装置９０ａと、通信回線により接続されている。送受信部３１は、図１のように、下位側の第１及び第２アグリゲータ１０，２０と、通信回線により接続されている。送受信部３１は、管理装置９０ａ、第１アグリゲータ１０、及び第２アグリゲータ２０と、各種情報の授受を行う。
【００５３】
具体的には、送受信部３１は、例えば、管理装置９０ａから、第１電力調整要求（電力使用量の調整要求）を、電力使用量の調整要求期間及び電力使用量の目標調整量と共に受信する。送受信部３１は、例えば、第１アグリゲータ１０から送信された第１暖房機器群１００の電力使用量に関する情報と、第２アグリゲータ２０から送信された第２暖房機器群２００の電力使用量に関する情報と、を受信する。また、送受信部３１は、例えば、後述する制御部３２が算出した第１暖房機器群１００及び第２暖房機器群２００の電力使用量の合計を、管理装置９０ａに対して送信する。送受信部３１は、例えば、後述する電力調整量分配部３２ａが算出した第１要求量を、第２電力調整要求（エネルギー調整要求）と共に、第１アグリゲータ１０に送信する。送受信部３１は、例えば、後述する電力調整量分配部３２ａが算出した第２要求量を、第２電力調整要求（エネルギー調整要求）と共に、第２アグリゲータ２０に送信する。
【００５４】
電力アグリゲータ３０は、第１及び第２アグリゲータ１０，２０に対し、第２電力調整要求を送信する際に、第１及び第２アグリゲータ１０，２０に共通のコマンドを用いる。また、電力アグリゲータ３０と第１及び第２アグリゲータ１０，２０との間の通信には、同一の通信プロトコルが用いられる。
【００５５】
（２−１−２）制御部
制御部３２は、主にＣＰＵからなり、後述する記憶部３３に記憶されたプログラムを実行することで各種処理を実行する。例えば、制御部３２は、送受信部３１が受信した情報を基に各種演算を行う。また、制御部３２は、例えば、送受信部３１が受信した情報や制御部３２の各種演算の結果等を記憶部３３に書き込み、必要に応じて記憶部３３から情報を読み出す。
【００５６】
具体的には、制御部３２は、例えば、送受信部３１が受信した第１暖房機器群１００の電気使用量と、第２暖房機器群２００の電気使用量とを合算し、これを記憶部３３に書き込む。記憶部３３には、第１暖房機器群１００の電気使用量と第２暖房機器群２００の電気使用量との合計が、時系列データとして記憶される。また、制御部３２は、定期的に、又は、管理装置９０ａの求めに応じ、第１暖房機器群１００の電気使用量と第２暖房機器群２００の電気使用量との合計を記憶部３３から読み出す。そして、制御部３２は、第１暖房機器群１００の電気使用量と第２暖房機器群２００の電気使用量との合計を管理装置９０ａに対して送信するよう、送受信部３１に指示する。
【００５７】
また例えば、制御部３２は、送受信部３１が受信した、第１暖房機器群１００の電気使用量及び第２暖房機器群２００の電気使用量を用いて、第１アグリゲータ１０及び第２アグリゲータ２０のそれぞれについて、第２電力調整要求に対する達成度を算出する。言い換えれば、制御部３２は、第１アグリゲータ１０及び第２アグリゲータ２０のそれぞれが、電力アグリゲータ３０の送信した第１要求量及び第２要求量に対し、どれだけ電力使用量を調整できたかを算出する。算出された、第２電力調整要求に対する達成度は、記憶部３３に記憶される。
【００５８】
また、制御部３２は、以下に説明する電力調整量分配部３２ａを機能部として有する。
【００５９】
（２−１−２−１）電力調整量分配部
電力調整量分配部３２ａは、送受信部３１が管理装置９０ａから受け付けた電力使用量の目標調整量を、第１アグリゲータ１０及び第２アグリゲータ２０に分配し、それぞれ第１要求量及び第２要求量として算出する。目標調整量の分配について詳しく説明する。
【００６０】
前述のように、送受信部３１は、管理装置９０ａから、電力使用量の調整要求期間、及び、電力使用量の目標調整量を、第１電力調整要求と共に受け付ける。具体的には、送受信部３１は、例えば、電力使用量の抑制を要求する第１電力調整要求と共に、調整要求期間が１８時〜１９時、目標調整量が３００ｋＷ、というような情報を受け付ける。これに応じ、電力調整量分配部３２ａは、送受信部３１が受け付けた目標調整量を、第１アグリゲータ１０及び第２アグリゲータ２０に分配する。
【００６１】
電力調整量分配部３２ａは、例えば、記憶部３３に記憶された各種情報や、送受信部３１が受け付けた各種情報に基づき、第１暖房機器群１００及び第２暖房機器群２００の電力使用量の調整量の合計が、目標調整量となる可能性が最も高くなるように、目標調整量を第１アグリゲータ１０及び第２アグリゲータ２０に分配する。なお、記憶部３３に記憶された各種情報とは、例えば、第１暖房機器群１００及び第２暖房機器群２００の最大消費電力（つまり、第１暖房機器１００ａの最大消費電力の合計及び第２暖房機器２００ａの最大消費電力の合計）や、第１暖房機器群１００の電力使用量及び第２暖房機器群２００の電力使用量の時系列データや、第１アグリゲータ１０及び第２アグリゲータ２０の、第２電力調整要求に対する達成度である。また、送受信部３１が受け付けた各種情報とは、例えば、第１暖房機器群１００及び第２暖房機器群２００の現在の電力使用量である。
【００６２】
具体的には、電力調整量分配部３２ａは、例えば、第１暖房機器群１００及び第２暖房機器群２００に対する分配量が、第１暖房機器群１００及び第２暖房機器群２００の現在の電力使用量に比例するように、目標調整量を第１アグリゲータ１０及び第２アグリゲータ２０に分配し、第１要求量及び第２要求量を算出する。また、例えば、電力調整量分配部３２ａは、上記のように算出された第１要求量及び第２要求量を、第１アグリゲータ１０及び第２アグリゲータ２０の第２電力調整要求に対する達成度に基づいて、達成度の高い方のアグリゲータ１０，２０に分配比率を増やすように補正してもよい。
【００６３】
電力調整量分配部３２ａにより算出された第１要求量及び第２要求量は、電力使用量の調整要求期間及び第２電力調整要求と共に、送受信部３１を介して、第１アグリゲータ１０及び第２アグリゲータ２０に送信される。
【００６４】
なお、ここで示した目標調整量の分配方法は例示であり、これに限定されるものではない。また、電力調整量分配部３２ａは、１の調整要求期間に対し、１組の第１要求量及び第２要求量を算出するものである必要は無く、１の調整要求期間の中で、第１要求量及び第２要求量を、複数組、算出してもよい。言い換えれば、電力調整量分配部３２ａは、１の調整要求期間の中で、目標調整量を第１アグリゲータ１０及び第２アグリゲータ２０に分配する比率を変動させてもよい。１の調整要求期間の中で、目標調整量を第１アグリゲータ１０及び第２アグリゲータ２０に分配する比率を変動させる場合には、電力調整量分配部３２ａにより算出された複数組の第１要求量及び第２要求量と、第１要求量と第２要求量との各組合せに対応する期間とが、第１アグリゲータ１０及び第２アグリゲータ２０に対して送信される。
【００６５】
（２−１−３）記憶部
記憶部３３は、主に、ＲＡＭ、ＲＯＭ、及びハードディスク等からなる。記憶部３３には、制御部３２により使用される各種プログラムや、各種情報が記憶される。
【００６６】
記憶部３３には、例えば、第１暖房機器群１００及び第２暖房機器群２００の最大消費電力に関する情報が記憶されている。また、記憶部３３には、例えば、送受信部３１が受信した第１暖房機器群１００及び第２暖房機器群２００の電力使用量に関する情報と、制御部３２により算出された、第１暖房機器群１００の電力使用量と第２暖房機器群２００の電力使用量との合計とが、時系列データとして記憶される。また、例えば、記憶部３３には、制御部３２により算出された、第１アグリゲータ１０及び第２アグリゲータ２０の、第２電力調整要求に対する達成度が記憶される。
【００６７】
（２−２）第１アグリゲータ
第１アグリゲータ１０は、ヒートポンプを熱源として利用する第１暖房機器１００ａからなる第１暖房機器群１００のデマンドレスポンス関連制御を行う。より具体的には、第１アグリゲータ１０は、電力アグリゲータ３０からの第２電力調整要求に応じ、第１暖房機器群１００用の第１専用コマンドを用いて、複数の住宅に設置されている第１暖房機器群１００のデマンドレスポンス関連制御を行う。
【００６８】
第１アグリゲータ１０は、図３に示すように、主に、送受信部１１と、制御部１２と、記憶部１３と、を有する。
【００６９】
（２−２−１）送受信部
送受信部１１は、上位側の電力アグリゲータ３０と通信回線により接続されている。また、送受信部１１は、下位側の第１暖房機器１００ａと通信回線により接続されている。送受信部１１は、電力アグリゲータ３０及び第１暖房機器１００ａと、各種情報の授受を行う。
【００７０】
具体的には、送受信部１１は、例えば、電力アグリゲータ３０から、第２電力調整要求（エネルギー調整要求）を、調整要求期間及び第１要求量と共に受信する。送受信部１１は、例えば、第１暖房機器１００ａから送信された、第１暖房機器１００ａの電力使用量に関する情報を受信する。また、送受信部１１は、後述する制御部１２が算出した第１暖房機器１００ａの電力使用量の合計を、電力アグリゲータ３０に対して送信する。送受信部１１は、例えば、後述する制御部１２の電力調整計画部１２ａが生成した制御指令を、各第１暖房機器１００ａに送信する。
【００７１】
第１アグリゲータ１０は、各第１暖房機器１００ａに制御指令を送信する際に、第１暖房機器群１００用の第１専用コマンド（製造者Ｘ１の第１暖房機器１００ａに固有の専用コマンド）を用いて、第１暖房機器１００ａに制御指令を送信する。第１アグリゲータ１０と第１暖房機器１００ａとの間の通信には、第１暖房機器１００ａの製造者Ｘ１独自の通信プロトコルが用いられる。
【００７２】
（２−２−２）制御部
制御部１２は、主にＣＰＵからなり、後述する記憶部１３に記憶されたプログラムを実行することで各種処理を実行する。制御部１２は、例えば、送受信部１１が受信した情報を基に、各種演算を行う。また、制御部１２は、送受信部１１が受信した情報や制御部１２の各種演算の結果等を記憶部１３に書き込み、必要に応じて記憶部１３から情報を読み出す。
【００７３】
具体的には、制御部１２は、例えば、送受信部１１が受信した第１暖房機器１００ａの電気使用量を合算し、これを記憶部１３に書き込む。記憶部１３には、第１暖房機器群１００の電気使用量が、時系列データとして記憶される。また、制御部１２は、定期的に、又は、電力アグリゲータ３０の求めに応じ、第１暖房機器群１００の電気使用量を記憶部１３から読み出す。そして、制御部１２は、読み出された第１暖房機器群１００の電気使用量を電力アグリゲータ３０に送信するよう、送受信部１１に指示する。
【００７４】
また例えば、制御部１２は、送受信部１１が受信した第１暖房機器１００ａの電気使用量を用いて、各第１暖房機器１００ａの電力調整達成度を算出する。電力調整達成度とは、後述する電力調整計画部１２ａにより各第１暖房機器１００ａに分配された電力調整量に対し、実際に各第１暖房機器１００ａがどれだけの電気使用量を調整できたか、その達成度を表す指標である。算出された各第１暖房機器１００ａの電力調整達成度は、記憶部１３に記憶される。
【００７５】
また、制御部１２は、以下に説明する電力調整計画部１２ａを機能部として有する。
【００７６】
（２−２−２―１）電力調整計画部
電力調整計画部１２ａは、電力アグリゲータ３０から受け付けた第１要求量を、各第１暖房機器１００ａに分配する。また、電力調整計画部１２ａは、第１要求量の各第１暖房機器１００ａへの分配結果に基づいて、第１暖房機器群１００のデマンドレスポンス関連制御を行う。言い換えれば、電力調整計画部１２ａは、第１要求量の分配結果に基づいて各第１暖房機器１００ａの制御内容を決定し、その制御内容を第１暖房機器１００ａに実行させるための制御指令を生成し、送受信部１１を介して制御指令を第１暖房機器１００ａに送信する。
【００７７】
電力調整計画部１２ａによる第１要求量の分配について詳しく説明する。
【００７８】
前述のように、第１アグリゲータ１０の送受信部１１は、電力アグリゲータ３０から調整要求期間及び第１要求量を、第２電力調整要求と共に受け付ける。そして、電力調整計画部１２ａは、例えば、記憶部１３に記憶された各種情報や、送受信部１１が受け付けた各種情報に基づき、送受信部１１が受け付けた第１要求量を第１暖房機器１００ａに分配する。なお、記憶部１３に記憶された各種情報とは、例えば、各第１暖房機器１００ａの最大消費電力や、各第１暖房機器１００ａの電力使用量の時系列データや、制御部１２が算出した各第１暖房機器１００ａの電力調整達成度である。また、送受信部１１が受け付けた各種情報とは、例えば、各第１暖房機器１００ａの現在の電力使用量である。
【００７９】
具体的には、電力調整計画部１２ａは、例えば、各第１暖房機器１００ａに対する分配量が現在の電力使用量に比例するように、第１要求量を各第１暖房機器１００ａに分配する。具体例を挙げて説明する。例えば、３台の第１暖房機器１００ａで、５ｋＷという第１要求量を抑制する場合を考える。各第１暖房機器１００ａの現在の電力使用量がそれぞれ１０ｋＷ，１０ｋＷ，５ｋＷであるとすると、電力調整計画部１２ａは、現在の電力使用量に比例して５ｋＷを分配し、第１暖房機器１００ａに対する分配量を２ｋＷ，２ｋＷ，１ｋＷと算出する。また、電力調整計画部１２ａは、算出された各第１暖房機器１００ａに対する分配量を、更に、各第１暖房機器１００ａの電力調整達成度を用いて補正してもよい。
【００８０】
また、例えば、電力調整計画部１２ａは、調整要求期間を複数に分割し、分割された調整要求期間に、一部の第１暖房機器１００ａの電力使用量だけを削減することで、第１暖房機器１００ａ全体で第１要求量だけ電力使用量を調整するように、第１要求量を第１暖房機器１００ａに分配してもよい。具体例を挙げて説明する。例えば、３０分の調整要求期間に、３台の第１暖房機器１００ａで、５ｋＷという第１要求量を抑制する場合を考える。この場合、電力調整計画部１２ａは、例えば、調整要求期間を１０分ずつに３分割し、分割された各期間には、１台の第１暖房機器１００ａに、５ｋＷを全て分配する。
【００８１】
また、例えば、電力調整計画部１２ａは、送受信部１１が、電力使用量の増加を要求する第２電力調整要求を受け付けた場合には、現在停止している第１暖房機器１００ａに、優先的に第１要求量を分配してもよい。
【００８２】
ここで示した第１要求量の分配方法は例示であり、これに限定されるものではない。第１要求量の分配方法は、電力アグリゲータ３０からの第２電力調整要求に応じることが可能な分配方法であればよい。つまり、電力調整計画部１２ａは、電力使用量の調整要求期間に、第１要求量だけ電力使用量が調整されるように、各第１暖房機器１００ａに第１要求量を分配すればよい。
【００８３】
各第１暖房機器１００ａに対する第１要求量の分配量が決定されると、電力調整計画部１２ａは、それを実現するために各第１暖房機器１００ａに指示する制御内容を決定する。つまり、電力調整計画部１２ａは、第１暖房機器群１００のデマンドレスポンス関連制御の内容を決定する。第１暖房機器１００ａに指示される制御内容の具体例については、後述する。
【００８４】
さらに、電力調整計画部１２ａは、決定した制御内容を各第１暖房機器１００ａに実行させるための制御指令を生成する。各第１暖房機器１００ａに対する制御指令は、送受信部１１を介して、各第１暖房機器１００ａに送信される。
【００８５】
（２−２−３）記憶部
記憶部１３は、主に、ＲＡＭ、ＲＯＭ、及びハードディスク等からなる。記憶部１３には、制御部１２により使用される各種プログラムや、各種情報が記憶される。
【００８６】
記憶部１３には、例えば、各第１暖房機器１００ａの最大消費電力に関する情報が記憶されている。また、記憶部１３には、例えば、送受信部１１が受け付けた各第１暖房機器１００ａの電力使用量に関する情報と、制御部１２により算出された第１暖房機器１００ａの電力使用量の合計とが、時系列データとして記憶される。また、記憶部１３には、例えば、制御部１２により算出された、各第１暖房機器１００ａの電力調整達成度が記憶される。
【００８７】
（２−３）第２アグリゲータ
第２アグリゲータ２０は、ヒートポンプを熱源として利用する第２暖房機器２００ａからなる第２暖房機器群２００のデマンドレスポンス関連制御を行う。より具体的には、第２アグリゲータ２０は、電力アグリゲータ３０の第２電力調整要求に応じ、第２暖房機器群２００用の第２専用コマンドを用いて、複数の住宅に設置されている第２暖房機器群２００のデマンドレスポンス関連制御を行う。
【００８８】
第２アグリゲータ２０は、図４に示すように、主に、送受信部２１と、制御部２２と、記憶部２３と、を有する。また、制御部２２は、電力調整計画部２２ａを機能部として有する。
【００８９】
第２アグリゲータ２０は、第１アグリゲータ２０と、デマンドレスポンス関連制御の制御対象が異なる点、及び、制御対象を制御するための第２暖房機器群２００用の第２専用コマンド（製造者Ｘ２の第２暖房機器２００ａに固有の専用コマンド）が、第１暖房機器群１００用の第１専用コマンドとは異なる点を除いては同様であるため、ここでは説明を省略する。
【００９０】
なお、第２アグリゲータ２０と第１アグリゲータ１０とが同様であるとは、第２アグリゲータ２０においても、送受信部２１が受け付けた第２要求量が電力調整計画部２２ａにより各第２暖房機器２００ａに分配され、第２要求量の分配結果に基づいて、電力調整計画部２２ａが各第２暖房機器２００ａの制御内容を決定するということを意味するものであり、制御や処理の方法等は同一である必要はない。例えば、第２アグリゲータ２０の電力調整計画部２２ａは、第１アグリゲータ１０の電力調整計画部１２ａとは異なる方法で、第２要求量を各第２暖房機器２００ａに分配してもよい。
【００９１】
（２−４）第１暖房機器
第１暖房機器１００ａは、ヒートポンプを熱源とする機器であり、第１ヒートポンプ機器の一例である。第１暖房機器１００ａは、製造者Ｘ１の製造した製品である。
【００９２】
第１暖房機器１００ａは、室外機１２０と、室内機１３０と、蓄熱タンク１６１と、第２循環ポンプ１６２と、暖房ユニット１４０と、コントローラ１８０と、を主に有する（図５及び図６参照）。
【００９３】
（２−４−１）室外機
室外機１２０は、通常、屋外に配置されている。室外機は、図５のように、ガス冷媒連絡管１２６と、液冷媒連絡管１２７とにより室内機１３０と接続され、冷媒回路１２５の一部を構成する。
【００９４】
室外機１２０は、図５のように、主として、圧縮機１２１と、四路切換弁１２４と、熱源側熱交換器１２３と、膨張弁１２２と、を有している。
【００９５】
圧縮機１２１は、モータにより駆動される密閉式圧縮機である。圧縮機１２１はインバータ制御される。圧縮機１２１は吸入管から低圧のガス冷媒を吸入し、圧縮機１２１内の圧縮機構によりガス冷媒を圧縮し、吐出管に高圧のガス冷媒を吐出する。
【００９６】
四路切換弁１２４は、冷媒の流れ方向を切り替えるための四路切換弁である。四路切換弁１２４は、暖房運転時には、図５に示すように冷媒配管を接続することで、圧縮機１２１で圧縮された冷媒がガス冷媒連絡管１２６を経て後述する室内機１３０の利用側熱交換器１３１に流入し、熱源側熱交換器１２３から圧縮機１２１の吸入管に低圧の冷媒が流入するように、冷媒の流れ方向を制御する。
【００９７】
熱源側熱交換器１２３は、冷媒回路１２５内を流れる冷媒と、室外空気との熱交換を行う。熱源側熱交換器１２３は、暖房運転時に、冷媒回路１２５を流れる冷媒の蒸発器として機能する。
【００９８】
膨張弁１２２は、冷媒を減圧するための膨張機構であり、開度調整が可能な電動弁である。
【００９９】
（２−４−２）室内機
室内機１３０は、屋内に配置されている。室内機１３０は、図５のように、ガス冷媒連絡管１２６と、液冷媒連絡管１２７とを介して室外機１２０に接続され、冷媒回路１２５の一部を構成している。また、室内機１３０は、図５のように、水媒体連絡管１３６ａ，１３６ｂ，１３７ａ，１３７ｂを介して、暖房ユニット１４０に接続されており、水媒体回路１３５の一部を構成している。
【０１００】
室内機１３０は、図５のように、主として、利用側熱交換器１３１と、電気ヒータ１３２と、第１循環ポンプ１３３とを有する。
【０１０１】
利用側熱交換器１３１は、冷媒回路１２５内を流れる冷媒と、水媒体回路１３５を流れる水媒体との熱交換を行う熱交換器である。利用側熱交換器１３１は、暖房運転時に、冷媒回路１２５を流れる冷媒の凝縮器として機能し、ヒートポンプを熱源として水媒体を加熱する。
【０１０２】
電気ヒータ１３２は、水媒体回路１３５を流れる水媒体を加熱するための電気ヒータである。
【０１０３】
第１循環ポンプ１３３は、モータにより駆動される遠心式や容積式などのポンプである。第１循環ポンプ１３３は、電気ヒータ１３２より下流側に設けられている。第１循環ポンプ１３３は、水媒体を昇圧し、水媒体を水媒体回路１３５内で循環させる。具体的には、利用側熱交換器１３１又は電気ヒータ１３２で加熱された水媒体は、第１循環ポンプ１３３により昇圧され、水媒体連絡管１３６ａを介して、蓄熱タンク１６１に送られる。
【０１０４】
（２−４−３）蓄熱タンク
蓄熱タンク１６１は、水媒体回路１３５内に設けられるタンクである。具体的には、蓄熱タンク１６１は、室内機１３０と水媒体連絡管１３６ａ，１３７ａを介して接続され、暖房ユニット１４０と水媒体連絡管１３６ｂ，１３７ｂを介して接続される。
【０１０５】
蓄熱タンク１６１は、水媒体を蓄えるためのタンクである。後述するように、第１アグリゲータ１０は、第１暖房機器群１００の電力使用量を増加させたい時に、第１暖房機器群１００のデマンドレスポンス関連制御として、蓄熱タンク１６１内の水媒体が加熱されるよう第１暖房機器１００ａを制御する場合がある。また、第１アグリゲータ１０は、第１暖房機器群１００の電力使用量を減少させたい場合に、第１暖房機器群１００のデマンドレスポンス関連制御として、室外機１２０及び電気ヒータ１３２は稼動させずに、蓄熱タンク１６１内の水媒体を熱源として用いて暖房が行われるように第１暖房機器１００ａを制御する場合がある。
【０１０６】
（２−４−４）第２循環ポンプ
第２循環ポンプ１６２は、モータにより駆動される遠心式や容積式などのポンプである。第２循環ポンプ１６２は、蓄熱タンク１６１と暖房ユニット１４０とを接続する水媒体連絡管１３６ｂに設けられている。第２循環ポンプ１６２は、水媒体を昇圧し、水媒体を水媒体回路１３５内で循環させる。具体的には、第２循環ポンプ１６２は、蓄熱タンク１６１内の水媒体を昇圧し、後述する暖房ユニット１４０の熱交換器１４１に、水媒体連絡管１３６ｂを介して水媒体を送る。
【０１０７】
（２−４−５）暖房ユニット
暖房ユニット１４０は、第２循環ポンプ１６２により蓄熱タンク１６１から送液される水媒体を使用して、室内の暖房を行う。暖房ユニット１４０は、暖房の対象となる空間に設置されている。暖房ユニット１４０は、図５のように、水媒体連絡管１３６ａ，１３６ｂ，１３７ａ，１３７ｂを介して室内機１３０に接続されており、水媒体回路１３５の一部を構成している。
【０１０８】
暖房ユニット１４０は、図５のように、主として、熱交換器１４１と、ファン１４２と、を有するファンコイルユニットである。熱交換器１４１及びファン１４２は、図示しないケーシング内に収納されている。
【０１０９】
熱交換器１４１は、蓄熱タンク１６１から第２循環ポンプ１６２により送液される水媒体と、室内空気との熱交換を行うことで室内空気の加熱器として機能する。
【０１１０】
ファン１４２は、図示しないケーシング内に空気を取り込み、熱交換器１４１における水媒体と室内空気との熱交換を促進するためのファンである。熱交換器１４１により加熱された室内空気は、ケーシング外（室内）へと吹き出す。
【０１１１】
（２−４−６）コントローラ
コントローラ１８０は、第１暖房機器１００ａを制御するために設けられる。コントローラ１８０は、ＣＰＵや、ＲＡＭ、ＲＯＭ、及びハードディスク等のメモリを有するマイクロコンピュータである。コントローラ１８０は、メモリ等に記憶された各種プログラムをＣＰＵが実行することで、第１暖房機器１００ａの各種制御を行う。
【０１１２】
コントローラ１８０は、図６に示すように、上位側の第１アグリゲータ１０と通信回線により接続されている。コントローラ１８０は、第１アグリゲータ１０と、各種情報の授受を行う。具体的には、コントローラ１８０は、例えば、第１アグリゲータ１０から制御指令を受信する。また、例えば、コントローラ１８０は、定期的に、あるいは、第１アグリゲータ１０の求めに応じて、第１暖房機器１００ａの電力使用量を、第１アグリゲータ１０に対して送信する。
【０１１３】
コントローラ１８０は、図６に示すように、主に、第１暖房機器１００ａの、圧縮機１２１、膨張弁１２２、四路切換弁１２４、電気ヒータ１３２、第１循環ポンプ１３３、第２循環ポンプ１６２、及びファン１４２と電気的に接続されている。また、コントローラ１８０は、第１暖房機器１００ａに設けられた図示しない各種センサ（温度センサ等）から検出信号を受けつける。
【０１１４】
コントローラ１８０は、第１アグリゲータ１０から制御指令を受けていない場合には、図示されていないリモコンが受け付けたユーザの指示（第１暖房機器１００ａの運転／停止や、暖房の設定温度等）や、第１暖房機器１００ａに設けられた各種センサの検出信号等に基づいて、第１暖房機器１００ａを制御する。
【０１１５】
第１アグリゲータ１０から制御指令を受けた場合には、コントローラ１８０は、受信した制御指令に基づいて第１暖房機器１００ａを制御する。コントローラ１８０が第１アグリゲータ１０から受ける制御指令の具体例は後述する。
【０１１６】
（２−５）第２暖房機器
第２暖房機器２００ａは、ヒートポンプを熱源とする機器である。
【０１１７】
第２暖房機器２００ａは、第１暖房機器１００ａの製造者Ｘ１とは異なる製造者Ｘ２の製造した製品である。第２暖房機器２００ａの制御仕様は、製造者Ｘ２独自の仕様であり、第１暖房機器１００ａの制御仕様とは異なる。具体的には、第２アグリゲータ２０により第２暖房機器２００ａを制御するために用いられるコマンドと、第１アグリゲータ１０により第１暖房機器１００ａを制御するために用いられるコマンドとは、少なくとも異なる。
【０１１８】
制御仕様を除いては、第２暖房機器２００ａと第１暖房機器１００ａとは同様である。例えば、第２暖房機器２００ａは、図５及び図６に示した第１暖房機器１００ａの構成と同じ構成を有する。そのため、第２暖房機器２００ａについての説明は省略する。
【０１１９】
（３）第１暖房機器による暖房運転
以下に、第１暖房機器１００ａの暖房運転について概略を説明する。
【０１２０】
なお、第２暖房機器２００ａの暖房運転は、第１暖房機器１００ａの暖房運転と、細かな点（例えば、暖房機器の起動時の起動制御の内容、より具体的には、圧縮機の起動時の制御や、膨張弁の制御タイミング等）で相違するが、全体的としては概ね同様であるため、ここでは説明を省略する。
【０１２１】
第１暖房機器１００ａの暖房運転は、第１暖房機器１００ａのユーザが、コントローラ１８０に、図示しないリモコンを介して第１暖房機器１００ａの運転を要求している時に行われる。圧縮機１２１の回転数及び膨張弁１２２の開度等のパラメータや、電気ヒータ１３２の運転／停止は、図示しないリモコンを介してユーザが入力した設定温度や、図示しないセンサにより取得された室内温度等に基づいて、コントローラ１８０により決定される。
【０１２２】
第１暖房機器１００ａは、基本的には、蒸気圧縮機式のヒートポンプサイクルを利用して水媒体回路１３５内の水媒体を加熱し、加熱された水媒体と室内空気との間で熱交換を行うことで、暖房を行う。
【０１２３】
具体的には、暖房運転では、通常、室外機１２０が運転され（圧縮機１２１が運転され）、冷媒回路１２５内を冷媒が循環する。そして、利用側熱交換器１３１において、冷媒回路１２５の冷媒と水媒体回路１３５の水媒体との熱交換が行われ、水媒体が加熱される。暖房運転では、通常、第１循環ポンプ１３３及び後述する第２循環ポンプ１６２が運転される。利用側熱交換器１３１で加熱された水媒体は、第１循環ポンプ１３３で昇圧され、水媒体連絡管１３６ａを経て蓄熱タンク１６１に流入する。更に、蓄熱タンク１６１内の水媒体は、第２循環ポンプ１６２により昇圧され、水媒体連絡管１３６ｂを経て熱交換器１４１に流入する。熱交換器１４１では、水媒体回路１３５を流れる水媒体と、室内空気とが熱交換され、暖められた空気が、ファン１４２により室内に吹き出す。このようにして、室内の暖房が行われる。なお、熱交換器１４１を通過した水媒体は、水媒体連絡管１３７ｂを経て蓄熱タンク１６１に流入する。さらに、蓄熱タンク１６１の水媒体は、水媒体連絡管１３７ａを経て室外機１３０に戻る。
【０１２４】
第１暖房機器１００ａの暖房能力の調整は、例えば、圧縮機１２１の回転数を制御することで行われる。ただし、ヒートポンプを利用して供給可能な熱量が暖房ユニット１４０で必要とされる暖房能力に満たない場合には、室外機１２０を運転すると共に、電気ヒータ１３２をＯｎにして第１暖房機器１００ａの運転が行われる。
【０１２５】
また、室外の気温が非常に低い条件では、ヒートポンプを熱源として暖房運転を行うと熱源側熱交換器１２３の表面に着霜が生じる。このため、室外機１２０は、適宜、除霜運転を行う。その間は、第１暖房機器１００ａでは、電気ヒータ１３２をＯｎにして運転が行われる。
【０１２６】
（４）第１アグリゲータが決定する第１暖房機器の制御内容
第１アグリゲータ１０が決定する第１暖房機器１００ａの制御内容、つまり、電力調整計画部１２ａにより決定される第１暖房機器１００ａの制御内容について説明する。なお、第２アグリゲータ２０が決定する第２暖房機器２００ａの制御内容は、第１アグリゲータ１０が決定する第１暖房機器１００ａの制御内容と同様であるため、ここでは説明を省略する。
【０１２７】
なお、第２アグリゲータ２０が決定する第２暖房機器２００ａの制御内容が、第１アグリゲータ１０が決定する第１暖房機器１００ａの制御内容と同様であるとは、両アグリゲータ１０，２０の制御内容が完全に一致していることを意味するものではない。例えば、第２アグリゲータ２０が決定する第２暖房機器２００ａの制御内容の一部は、第１アグリゲータ１０が決定する第１暖房機器１００ａの制御内容に含まれていなくてもよい。
【０１２８】
第１アグリゲータ１０が決定する第１暖房機器１００ａの制御は、第１暖房機器１００ａの電力使用量を増加又は減少させる制御である。第１アグリゲータ１０が決定する第１暖房機器１００ａの制御内容について、以下に、具体例を挙げて説明する。なお、第１アグリゲータ１０が決定する第１暖房機器１００ａの制御内容は、以下に示す制御内容の全てを含む必要はない。
【０１２９】
例えば、第１暖房機器１００ａの電力使用量を増加させる場合の制御には、運転中の圧縮機１２１の回転数を増加させる制御を含む。例えば、第１暖房機器１００ａの電力使用量を増加させる場合の制御には、図示しないリモコンに第１暖房機器１００ａの運転指令が入力されていない状態で、停止している第１暖房機器１００ａを起動させる、第１暖房機器１００ａの起動制御を含む。例えば、第１暖房機器１００ａの電力使用量を増加させる場合の制御には、Ｏｆｆになっている電気ヒータ１３２をＯｎにする制御を含む。例えば、第１暖房機器１００ａの電力使用量を増加させる場合の制御には、第１暖房機器１００ａを稼動させ、蓄熱体の蓄熱量を増加させる制御を含む。蓄熱体の蓄熱量を増加させる制御には、例えば、蓄熱タンク１６１内の水媒体の温度を上昇させる制御を含む。蓄熱タンク１６１内の水媒体の温度を上昇させる制御は、例えば、第２循環ポンプ１６２を停止させた状態で、室外機１２０と第１循環ポンプ１３３とを運転する制御を含む。また、蓄熱体の蓄熱量を増加させる制御には、例えば、室内の空気を加熱する制御、特には、暖房運転に不要な程度に空気を加熱する制御を含む。暖房運転に不要な程度に空気を加熱する制御には、例えば、図示しないリモコンから第１暖房機器１００ａの運転指令が無い場合や、室内温度が暖房の設定温度を超えている場合に、さらに室内空気を加熱する制御を含む。また、蓄熱体の蓄熱量を増加させる制御には、例えば、冷媒回路１２５の冷媒の温度を上昇させる制御、特には、暖房運転には不要な程度に冷媒の温度を上昇させる制御を含む。
【０１３０】
例えば、第１暖房機器１００ａの電力使用量を減少させる場合の制御には、運転中の圧縮機１２１の回転数を減少させる制御を含む。例えば、第１暖房機器１００ａの電力使用量を減少させる場合の制御には、運転中の第１暖房機器１００ａを安全に停止させる停止制御を含む。例えば、第１暖房機器１００ａの電力使用量を減少させる場合の制御には、Ｏｎになっている電気ヒータ１３２をＯｆｆにする制御を含む。例えば、第１暖房機器１００ａの電力使用量を減少させる場合の制御には、蓄熱体から放熱させ、蓄熱体の蓄熱量を減少させる制御を含む。蓄熱体の蓄熱量を減少させる制御には、例えば、蓄熱タンク１６１内の水媒体の温度を降下させる制御を含む。蓄熱タンク１６１内の水媒体の温度を降下させる制御には、例えば、室外機１２０と第１循環ポンプ１３３とを停止させた状態で、第２循環ポンプ１６２を運転して暖房を行う制御を含む。
【０１３１】
なお、コントローラ１８０は、上記のような制御指令を第１アグリゲータ１０から受信すると、通常の暖房運転のための制御に優先して、制御指令を実行する。例えば、コントローラ１８０は、暖房運転時に圧縮機１２１の回転数を増加又は低減させる制御指令を受信すると、コントローラ１８０が運転条件（暖房の設定温度や、室内温度等の条件）に基づいて決定した圧縮機１２１の回転数に代えて、制御指令として受信した圧縮機１２１の回転数を用いて、圧縮機１２１を運転する。また、例えば、コントローラ１８０は、暖房運転中に、第１暖房機器１００ａを停止させる制御指令を受信すると、ユーザがリモコンを介して第１暖房機器１００ａの運転を指示していたとしても、第１暖房機器１００ａを停止させる停止制御を行う。また、例えば、コントローラ１８０は、暖房運転停止中に、第１暖房機器１００ａを運転させる制御指令を受信すると、ユーザがリモコンを介して第１暖房機器１００ａの停止を指示していたとしても、第１暖房機器１００ａを運転させる、第１暖房機器１００ａの起動制御を行う。
【０１３２】
（５）デマンドレスポンスシステムによる電力使用量の調整制御
管理装置９０ａから電力アグリゲータ３０に第１電力調整要求が送信された場合の、デマンドレスポンスシステム１Ａによる第１暖房機器群１００及び第２暖房機器群２００の電力使用量の調整制御について、図７のフローチャートを用いて説明する。
【０１３３】
ステップＳ１では、管理装置９０ａが送信した、第１電力調整要求、電力使用量の調整要求期間、及び電力使用量の目標調整量を、電力アグリゲータ３０が受信する。その後ステップＳ２に進む。
【０１３４】
ステップＳ２では、電力アグリゲータ３０が、管理装置９０ａから受け付けた電力使用量の目標調整量を、第１アグリゲータ１０及び第２アグリゲータ２０に分配し、それぞれ第１要求量及び第２要求量として算出する。具体的には、電力アグリゲータ３０は、例えば、第１暖房機器群１００及び第２暖房機器群２００に対する分配量が、第１暖房機器群１００及び第２暖房機器群２００の現在の電力使用量に比例するように、第１アグリゲータ１０及び第２アグリゲータ２０に目標調整量を分配し、第１要求量及び第２要求量として算出する。第１要求量及び第２要求量の算出後、ステップＳ３に進む。
【０１３５】
ステップＳ３では、電力アグリゲータ３０は、算出された第１要求量及び電力使用量の調整要求期間を、第１アグリゲータ１０に、第２電力調整要求と共に送信する。また、電力アグリゲータ３０は、算出された第２要求量及び電力使用量の調整要求期間を、第２アグリゲータ２０に、第２電力調整要求と共に送信する。なお、電力アグリゲータ３０は、第１及び第２アグリゲータ１０，２０に対し、第１及び第２アグリゲータ１０，２０に共通のコマンドを用いて、第２電力調整要求等を送信する。その後、ステップＳ４及びステップＳ１４へと進む。
【０１３６】
ステップＳ４〜ステップＳ９は、第１アグリゲータ１０と、第１アグリゲータ１０により制御される第１暖房機器群１００と、により実行される。ステップＳ１４〜ステップＳ１９は、第２アグリゲータ２０と、第２アグリゲータ２０により制御される第２暖房機器群２００と、により実行される。ステップＳ４〜ステップＳ９と、ステップＳ１４〜ステップＳ１９とは、並行して実行される。
【０１３７】
ステップＳ４では、電力アグリゲータ３０が送信した、第２電力調整要求、電力使用量の調整要求期間、及び第１要求量を、第１アグリゲータ１０が受信する。その後ステップＳ５に進む。
【０１３８】
ステップＳ５では、第１アグリゲータ１０は、電力アグリゲータ３０から受け付けた第１要求量を、各第１暖房機器１００ａに分配する。具体的には、第１アグリゲータ１０は、例えば、各第１暖房機器１００ａに対する分配量が、各第１暖房機器１００ａの現在の電力使用量に比例するように、第１要求量を各第１暖房機器１００ａに分配する。その後、ステップＳ６へ進む。
【０１３９】
ステップＳ６では、第１アグリゲータ１０は、各第１暖房機器１００ａに分配された分配量だけ、各第１暖房機器１００ａが電力消費量を調整できる制御内容を決定する。第１アグリゲータ１０が決定する第１暖房機器１００ａの制御は、上記のように、例えば、蓄熱タンク１６１内の水媒体に蓄熱する制御（蓄熱タンク１６１内の水媒体の温度を上昇させる制御）や、蓄熱タンク１６１内の水媒体から放熱する制御（蓄熱タンク１６１内の水媒体の温度を降下させる制御）を含む。また、第１アグリゲータ１０が決定する第１暖房機器１００ａの制御は、上記のように、例えば、圧縮機１２１の回転数を増減させることで、電力使用量を増減させるものを含む。また、第１アグリゲータ１０が決定する第１暖房機器１００ａの制御は、上記のように、例えば、停止中の第１暖房機器１００ａを起動させる起動制御や、運転中の第１暖房機器１００ａを安全に停止させる停止制御を含む。第１アグリゲータ１０は、各第１暖房機器１００ａの制御内容を決定すると、その制御内容を各第１暖房機器１００ａに実行させるための制御指令を生成する。その後、ステップＳ７へ進む。
【０１４０】
ステップＳ７では、第１アグリゲータ１０が生成した制御指令が、各第１暖房機器１００ａに対して送信される。なお、第１アグリゲータ１０は、第１暖房機器群１００用の第１専用コマンドを用いて、各第１暖房機器１００ａに制御指令を送信する。その後、ステップＳ８へと進む。
【０１４１】
ステップＳ８では、各第１暖房機器１００ａが、第１アグリゲータ１０から送信された制御指令を受信する。その後ステップＳ９へ進む。
【０１４２】
ステップＳ９では、第１暖房機器１００ａは、受信した制御指令を実行する。
【０１４３】
ステップＳ１４では、電力アグリゲータ３０が送信した、第２電力調整要求、電力使用量の調整要求期間、及び第２要求量を第２アグリゲータ２０が受信する。その後ステップＳ１５に進む。
【０１４４】
ステップＳ１５では、第２アグリゲータ２０は、電力アグリゲータ３０から受け付けた第２要求量を、各第２暖房機器２００ａに分配する。具体的には、例えば、第２アグリゲータ２０は、調整要求期間を複数に分割し、分割された調整要求期間に、一部の第２暖房機器２００ａの電力使用量だけを調整することで、第２暖房機器２００ａ全体で第２要求量だけ電力使用量を調整できるように、第２要求量を第２暖房機器２００ａに分配する。その後、ステップＳ１６へ進む
ステップＳ１６では、第２アグリゲータ２０は、各第２暖房機器２００ａに分配された分配量だけ、各第２暖房機器２００ａが電力消費量を調整できる制御内容を決定する。決定される制御内容は、ステップＳ６と同様であるため説明は省略する。第２アグリゲータ２０は、各第２暖房機器２００ａの制御内容を決定すると、その制御内容を各第２暖房機器２００ａに実行させるための制御指令を生成する。その後、ステップＳ１７へ進む。
【０１４５】
ステップＳ１７では、第２アグリゲータ２０が生成した制御指令が、各第２暖房機器２００ａに対して送信される。なお、第２アグリゲータ２０は、第２暖房機器群２００用の第２専用コマンドを用いて、各第２暖房機器２００ａに制御指令を送信する。第２専用コマンドは、第１暖房機器群１００用の第１専用コマンドは異なるコマンドである。制御指令の送信後、ステップＳ１８へ進む。
【０１４６】
ステップＳ１８では、各第２暖房機器２００ａが、第２アグリゲータ２０から送信された制御指令を受信する。その後ステップＳ１９へ進む。
【０１４７】
ステップＳ１９では、第２暖房機器２００ａは、受信した制御指令を実行する。
【０１４８】
（６）特徴
第１実施形態に係るデマンドレスポンスシステム１Ａは、以下のような特徴を有する。
【０１４９】
（６−１）
第１実施形態に係るデマンドレスポンスシステム１Ａは、第１アグリゲータ装置の一例としての第１アグリゲータ１０と、第２アグリゲータ装置の一例としての第２アグリゲータ２０と、第１上位アグリゲータ装置の一例としての電力アグリゲータ３０と、を備える。第１アグリゲータ１０は、第１ヒートポンプ機器としての第１暖房機器１００ａを含む第１暖房機器群１００のデマンドレスポンス関連制御を行う。第２アグリゲータ２０は、第１暖房機器群１００とは異なる第２暖房機器群２００のデマンドレスポンス関連制御を行う。電力アグリゲータ３０は、第１アグリゲータ１０及び第２アグリゲータ２０に対し、第１アグリゲータ１０及び第２アグリゲータ２０に共通のコマンドを用いて、第２電力調整要求（エネルギー調整要求）を送信する。第１アグリゲータ１０は、第２電力調整要求に応じ、第１暖房機器群１００用の第１専用コマンドを用いて、複数の住宅に設置されている第１暖房機器群１００のデマンドレスポンス関連制御を行う。第２アグリゲータ２０は、第２電力調整要求に応じ、第１専用コマンドとは異なる、第２暖房機器群２００用の第２専用コマンドを用いて、複数の住宅に設置されている第２暖房機器群２００のデマンドレスポンス関連制御を行う。
【０１５０】
ここでは、第１アグリゲータ１０が第１専用コマンドを用いて第１暖房機器群１００のデマンドレスポンス関連制御を行い、第２アグリゲータ２０が第２専用コマンドを用いて第２暖房機器群２００のデマンドレスポンス関連制御を行うため、電力アグリゲータ３０は、第１暖房機器群１００及び第２暖房機器群２００の機器の制御仕様について把握する必要がない。つまり、デマンドレスポンスシステム１Ａでは、第１暖房機器群１００及び第２暖房機器群２００の機器の制御仕様を標準化し、全ての機器の共通コマンドを開発しなくても、精度よくデマンドレスポンスを実現可能である。
【０１５１】
（６−２）
第１実施形態に係るデマンドレスポンスシステム１Ａでは、第１暖房機器群１００のデマンドレスポンス関連制御には、第２電力調整要求に応じ、蓄熱体としての蓄熱タンク１６１内の水媒体に蓄熱する制御、及び、蓄熱タンク１６１内の水媒体から放熱する制御を含む。また、第１暖房機器群１００のデマンドレスポンス関連制御には、第２電力調整要求に応じ、蓄熱体としての空気（室内空気）に蓄熱する制御を含んでもよい。
【０１５２】
ここでは、第１暖房機器群１００のデマンドレスポンス関連制御に、蓄熱体に蓄熱する制御及び蓄熱体から放熱する制御が含まれるため、電力アグリゲータ３０の第２電力調整要求に応じて、第１暖房機器群１００の電力使用量を精度よく制御することが可能である。一方で、蓄熱体への蓄熱や、蓄熱体からの放熱を制御する場合、単に第１暖房機器群１００の第１暖房機器１００ａの運転／停止だけを制御するような場合に比べて細やかな制御が必要となる。しかし、第１アグリゲータ１０が第１専用コマンドを用いて第１暖房機器群１００のデマンドレスポンス関連制御を行うので、電力アグリゲータ３０は、第１暖房機器群１００の各第１暖房機器１００ａの制御仕様について把握する必要がない。つまり、ここでは、電力アグリゲータ３０が第１暖房機器群１００の第１暖房機器１００ａの制御仕様を把握していなくても、高精度のデマンドレスポンスを実現可能である。
【０１５３】
（６−３）
第１実施形態に係るデマンドレスポンスシステム１Ａでは、第１暖房機器群１００のデマンドレスポンス関連制御には、第１暖房機器１００ａの電力使用量を減少させる制御、第１暖房機器１００ａの電力使用量を増加させる制御、第１暖房機器１００ａを起動させるための起動制御、及び第１ヒートポンプ機器を安全に停止させるための停止制御、を含む。
【０１５４】
ここでは、第１暖房機器群１００のデマンドレスポンス関連制御に、第１暖房機器１００ａの電力使用量を増加又は減少させる制御が含まれるため、第１暖房機器１００ａの運転／停止だけを制御する場合に比べて、電力アグリゲータ３０のエネルギー調整要求に応じて、第１暖房機器群１００の電力使用量を精度よく制御することが可能である。また、ここでは、第１暖房機器群１００のデマンドレスポンス関連制御に、第１暖房機器１００ａの起動制御及び第１ヒートポンプ機器を安全に停止させるための停止制御が含まれるため、第１暖房機器１００ａの起動時の特性を踏まえた制御が可能である。
【０１５５】
一方で、デマンドレスポンス関連制御に、このような第１暖房機器１００ａの制御を含む場合、単に第１暖房機器群１００の第１暖房機器１００ａの運転／停止を制御するような場合に比べて細やかな制御が必要となる。しかし、第１アグリゲータ１０が第１専用コマンドを用いて第１暖房機器群１００のデマンドレスポンス関連制御を行うので、電力アグリゲータ３０は、第１暖房機器群１００の制御仕様について把握する必要がない。
【０１５６】
つまり、ここでは、電力アグリゲータ３０が第１暖房機器群１００の第１暖房機器１００ａの制御仕様を把握していなくても、精度が高く、かつ、信頼性の高い、デマンドレスポンスを実現可能である。
【０１５７】
なお、第１暖房機器群１００のデマンドレスポンス関連制御には、第１暖房機器１００ａの電力使用量を減少させる制御、第１暖房機器１００ａの電力使用量を増加させる制御、及び第１暖房機器１００ａを起動させるための起動制御、を全て含むことが望ましいが、これに限定されるものではなく、一部の制御だけが含まれてもよい。
【０１５８】
（６−４）
第１実施形態に係るデマンドレスポンスシステム１Ａは、電力アグリゲータ３０は、電力使用量の目標調整量を第１アグリゲータ１０及び第２アグリゲータ２０に分配し、それぞれ第１要求量及び第２要求量として、第１アグリゲータ１０及び第２アグリゲータ２０に、第２電力調整要求と共に送信する。第１アグリゲータ１０は、第１要求量を第１暖房機器群１００の各第１暖房機器１００ａに分配し、第１要求量の分配結果に基づいて第１暖房機器群１００のデマンドレスポンス関連制御を行う。第２アグリゲータ２０は、第２要求量を第２暖房機器群２００の各第２暖房機器２００ａに分配し、第２要求量の分配結果に基づいて第２暖房機器群２００のデマンドレスポンス関連制御を行う。
【０１５９】
ここでは、電力アグリゲータ３０は、第１及び第２アグリゲータ１０，２０に電力使用量の目標調整量を分配するだけでよく、第１及び第２暖房機器群１００，２００の各機器１００ａ，２００ａへの電力使用量の調整量の分配は、第１及び第２アグリゲータ１０，２０により実行される。そのため、電力アグリゲータ３０は、第１及び第２アグリゲータ１０，２０の需給調整特性について把握していればよく、第１暖房機器群１００の第１暖房機器１００ａ、及び、第２暖房機器群２００の第２暖房機器２００ａの制御仕様を把握する必要がない。つまり、ここでは、電力アグリゲータ３０が、第１暖房機器群１００の第１暖房機器１００ａ、及び、第２暖房機器群２００の第２暖房機器２００ａの制御仕様を把握していなくても、デマンドレスポンスを精度よく実現できる。
【０１６０】
（６−５）
第１実施形態に係るデマンドレスポンスシステム１Ａでは、第２暖房機器群２００には、エネルギーを蓄える機器として、第２暖房機器２００ａを含む。
【０１６１】
ここでは、第２暖房機器群２００に、エネルギー（熱）を蓄えることが可能な第２暖房機器２００ａが含まれるため、電力アグリゲータ３０の第２電力調整要求に応じて、第２暖房機器群２００の電力使用量を精度よく制御することが可能である。
【０１６２】
（７）変形例
以下に本実施形態の変形例を示す。なお、互いに矛盾しない範囲で、複数の変形例が適宜組み合わせられてもよい。
【０１６３】
（７−１）変形例１Ａ
上記実施形態では、第１ヒートポンプ機器の一例として第１暖房機器１００ａを示したがこれに限定されるものではない。第１ヒートポンプ機器は、例えば、ルームエアコン、パッケージエアコン、マルチエアコン、ヒートポンプ給湯器、冷蔵機器等であってもよい。この場合には、第１アグリゲータ１０は、制御対象のヒートポンプ機器の特性等に応じた適切な方法で、第１要求量を各機器に分配し、分配結果に基づいて各機器の制御内容を決定すればよい。
【０１６４】
（７−２）変形例１Ｂ
上記実施形態では、第１暖房機器群１００及び第２暖房機器群２００の機器は、同一種類のヒートポンプ機器であり、両方とも同様の構成を有する暖房機器であるが、これに限定されるものではない。例えば、第１暖房機器群１００は一群の第１暖房機器１００ａからなり、第２暖房機器群２００は一群のルームエアコンからなるものであってもよい。この場合には、第２アグリゲータ２０は、その機器（例えばルームエアコン）の特性等に応じた適切な方法で、第２要求量を各機器に分配し、分配結果に基づいて各機器の制御内容を決定すればよい。
【０１６５】
（７−３）変形例１Ｃ
また、第２暖房機器群２００に含まれる機器は、ヒートポンプ機器である必要はない。例えば、図８のように、デマンドレスポンスシステム１Ａ’の第２アグリゲータ２０は、蓄電池４００ｂを具備した電気自動車４００ａからなる電気自動車群４００のデマンドレスポンス関連制御を行うものであってもよい。
【０１６６】
ここでは、電気自動車群４００が、蓄電池４００ｂに電気を蓄える電気自動車４００ａからなるため、電力アグリゲータ３０の第２電力調整要求に応じて、電気自動車群４００の電力使用量を精度よく制御することが可能である。
【０１６７】
（７−４）変形例１Ｄ
上記実施形態では、デマンドレスポンスシステム１Ａは、２つの、機器用アグリゲータ（第１アグリゲータ１０及び第２アグリゲータ２０）を有しているが、機器用アグリゲータの数はこれに限定されるものではない。デマンドレスポンスシステムは３以上の機器用アグリゲータを有していてもよい。
【０１６８】
なお、デマンドレスポンスシステムが３以上の機器用アグリゲータを有している場合でも、各機器用アグリゲータは、専用コマンドを用いて、複数の建物に設置されている１つの機器群のデマンドレスポンス関連制御を行う。各機器群は、制御仕様が同一の機器からなる。例えば、各機器群は、製造者別かつ機器の種類別に構成される。
【０１６９】
このように構成されることで、多種多様な機器に対して標準化された制御仕様を策定し、全ての機器に共通するコマンドを開発する必要が無い。そのため、各製造者がデマンドレスポンスシステムに参画しやすく、電力の需給調整が実現されやすい。
【０１７０】
（７−５）変形例１Ｅ
上記実施形態に係るデマンドレスポンスシステム１Ａでは、第１暖房機器群１００は、製造者Ｘ１により製造された第１暖房機器１００ａのみからなり、第２暖房機器群２００は、製造者Ｘ２により製造された第２暖房機器２００ａのみからなるが、これに限定されるものではない。例えば、第１暖房機器群１００には、第１暖房機器群１００用の第１専用コマンドを用いて制御可能な、製造者Ｘ１以外の製造者により製造された暖房機器が含まれていてもよい。また、第２暖房機器群２００には、第２暖房機器群２００用の第２専用コマンドを用いて制御可能な、製造者Ｘ２以外の製造者により製造された暖房機器が含まれていてもよい。
【０１７１】
＜第２実施形態＞
本発明の第２実施形態にかかる、デマンドレスポンスシステム１Ｂについて、図面を参照して説明する。なお、下記の実施形態は、例示であり、本発明の趣旨を逸脱しない範囲で適宜変更可能である。
【０１７２】
（１）全体構成
図９は、デマンドレスポンスシステム１Ｂを含む電力ネットワークＢの全体概要図を示している。電力ネットワークＢは、電力会社９０と、デマンドレスポンスシステム１Ｂと、第１及び第２暖房機器群１００，２００と、第１〜第３ルームエアコン群７１０，７２０，７３０と、を含む。デマンドレスポンスシステム１Ｂは、電力アグリゲータ３３０と、暖房機器アグリゲータ５０と、ルームエアコンアグリゲータ６０と、第１及び第２アグリゲータ３１０，３２０と、第３〜第５アグリゲータ７１，７２，７３と、を備える。
【０１７３】
デマンドレスポンスシステム１Ｂは、デマンドレスポンスシステム１Ａと、電力アグリゲータ３３０の下位側に、機器の種類別のアグリゲータ（暖房機器アグリゲータ５０及びルームエアコンアグリゲータ６０）を有する点で特に相違する。デマンドレスポンスシステム１Ｂは、デマンドレスポンスシステム１Ａとの共通点も多いため、ここでは、主にデマンドレスポンスシステム１Ａとの相違点について説明する。
【０１７４】
電力会社９０は、電力需要者の有する、第１及び第２暖房機器群１００，２００と、第１〜第３ルームエアコン群７１０，７２０，７３０とに電力を供給する。また、電力会社９０は、電力需要者の有する、第１及び第２暖房機器群１００，２００と、第１〜第３ルームエアコン群７１０，７２０，７３０と、に含まれない機器（図示せず）にも電力を供給する。
【０１７５】
電力会社９０は、管理装置９０ａを有する。管理装置９０ａは、電力会社９０の電力供給量と、電力需要者の電力使用量とがバランスするように、必要に応じて、電力アグリゲータ３３０に電力使用量の調整要求を送信する。管理装置９０ａは、第１実施形態のデマンドレスポンスシステム１Ａにおけるものと同様であるので、説明は省略する。
【０１７６】
電力アグリゲータ３３０は、ここでは第２上位アグリゲータ装置の一例である。電力アグリゲータ３３０は、上位側の電力会社９０の管理装置９０ａと通信回線で接続されている（図９参照）。また、電力アグリゲータ３３０は、下位側の暖房機器アグリゲータ５０及びルームエアコンアグリゲータ６０と通信回線で接続されている（図９参照）。
【０１７７】
電力アグリゲータ３３０は、管理装置９０ａから第１電力調整要求を受け付けると、その要求に応じるために、暖房機器アグリゲータ５０及びルームエアコンアグリゲータ６０に対し、電力使用量の調整要求を送信する。なお、以下では、電力アグリゲータ３３０が暖房機器アグリゲータ５０及びルームエアコンアグリゲータ６０に対して送信する電力使用量の調整要求を、第３電力調整要求と呼ぶ。
【０１７８】
暖房機器アグリゲータ５０は、電力アグリゲータ３３０から第３電力調整要求を受け付けると、その要求に応じるために、第１アグリゲータ３１０及び第２アグリゲータ３２０に対し、電力使用量の調整要求を送信する。なお、以下では、暖房機器アグリゲータ５０が第１及び第２アグリゲータ３１０，３２０に対して送信する電力使用量の調整要求を、第４電力調整要求と呼ぶ。第４電力調整要求は、エネルギー調整要求の一例である。
【０１７９】
ルームエアコンアグリゲータ６０は、電力アグリゲータ３３０から第３電力調整要求を受け付けると、その要求に応じるために、第３〜第５アグリゲータ７１，７２，７３に対し、電力使用量の調整要求を送信する。なお、以下では、ルームエアコンアグリゲータ６０が第３〜第５アグリゲータ７１，７２，７３に対して送信する電力使用量の調整要求を、第５電力調整要求と呼ぶ。第５電力調整要求は、エネルギー調整要求の一例である。
【０１８０】
第１アグリゲータ３１０は、デマンドレスポンスシステム１Ａとは異なり、電力アグリゲータ３３０ではなく、暖房機器アグリゲータ５０からエネルギー調整要求（第４電力調整要求）を受け付ける。その他の点は、第１アグリゲータ３１０は、デマンドレスポンスシステム１Ａの第１アグリゲータ１０と同様であるので、説明は省略する。第２アグリゲータ３２０は、第１アグリゲータ３１０と同様であるので説明は省略する。
【０１８１】
第３アグリゲータ７１は、第１アグリゲータ装置の一例である。第４及び第５アグリゲータ７２，７３は、第２アグリゲータ装置の一例である。第３，第４，及び第５アグリゲータ７１，７２，７３は、ルームエアコンアグリゲータ６０からエネルギー調整要求（第５電力調整要求）を受け付ける点と、電力使用量の制御の対象が、それぞれ第１，第２，及び第３ルームエアコン群７１０，７２０，７３０である点を除き、第１アグリゲータ３１０と同様であるので、説明は省略する。
【０１８２】
第１及び第２暖房機器群１００，２００は、第１実施形態の電力ネットワークＡにおける暖房機器群と同様であるので、説明は省略する。
【０１８３】
第１〜第３ルームエアコン群７１０，７２０，７３０は、ヒートポンプ機器である。第１ルームエアコン群７１０は、複数の第１ルームエアコン７１０ａからなる。第２ルームエアコン群７２０は、複数の第２ルームエアコン７２０ａからなる。第３ルームエアコン群７３０は、複数の第３ルームエアコン７３０ａからなる。
【０１８４】
第１暖房機器１００ａは、第１ヒートポンプ機器の一例である。第２暖房機器２００ａは、第２ヒートポンプ機器の一例である。第１及び第２暖房機器１００ａ，２００ａは、第１実施形態の電力ネットワークＡにおける暖房機器と同様であるので、説明は省略する。
【０１８５】
第１ルームエアコン７１０ａは、第１ヒートポンプ機器の一例である。第２及び第３ルームエアコン７２０ａ，７３０ａは、第２ヒートポンプ機器の一例である。第１〜第３ルームエアコン７１０ａ，７２０ａ，７３０ａは、一般に広く使われている機器であるので、その構造や機能等についての説明は省略する。
【０１８６】
なお、第１ルームエアコン群７１０を構成する全ての第１ルームエアコン７１０ａは、全て制御仕様が同一の機器である。具体的には、ここでは、第１ルームエアコン７１０ａは、全てある製造者Ｙ１により製造された製品である。第３アグリゲータ７１は、第１ルームエアコン群７１０用の第３専用コマンド（製造者Ｙ１の第１ルームエアコン７１０ａに固有の専用コマンド）を用いて、第１ルームエアコン群７１０のデマンドレスポンス関連制御を行う。また、第３アグリゲータ７１と第１ルームエアコン７１０ａとの間の通信には、製造者Ｙ１独自の通信プロトコルが用いられる。ただし、これに限定されるものではなく、第３アグリゲータ７１と第１ルームエアコン７１０ａとの間の通信には、汎用的な通信プロトコルが用いられてもよい。
【０１８７】
第２ルームエアコン群７２０を構成する全ての第２ルームエアコン７２０ａは、全て制御仕様が同一の機器である。具体的には、ここでは、第２ルームエアコン７２０ａは、全てある製造者Ｙ２により製造された製品である。第４アグリゲータ７２は、第２ルームエアコン群７２０用の第４専用コマンド（製造者Ｙ２の第２ルームエアコン７２０ａに固有の専用コマンド）を用いて、第２ルームエアコン群７２０のデマンドレスポンス関連制御を行う。また、第４アグリゲータ７２と第２ルームエアコン７２０ａとの間の通信には、製造者Ｙ２独自の通信プロトコルが用いられる。ただし、これに限定されるものではなく、第４アグリゲータ７２と第２ルームエアコン７２０ａとの間の通信には、汎用的な通信プロトコルが用いられてもよい。
【０１８８】
第３ルームエアコン群７３０を構成する全ての第３ルームエアコン７３０ａは、全て制御仕様が同一の機器である。具体的には、ここでは、第３ルームエアコン７３０ａは、全てある製造者Ｙ３により製造された製品である。第５アグリゲータ７３は、第３ルームエアコン群７３０用の第５専用コマンド（製造者Ｙ３の第３ルームエアコン７３０ａに固有の専用コマンド）を用いて、第３ルームエアコン群７３０のデマンドレスポンス関連制御を行う。また、第５アグリゲータ７３と第３ルームエアコン７３０ａとの間の通信には、製造者Ｙ３独自の通信プロトコルが用いられる。ただし、これに限定されるものではなく、第５アグリゲータ７３と第３ルームエアコン７３０ａとの間の通信には、汎用的な通信プロトコルが用いられてもよい。
【０１８９】
なお、第２ルームエアコン群７２０用の第４専用コマンドは、第１ルームエアコン群７１０用の第３専用コマンドとは異なる。第３ルームエアコン群７３０用の第５専用コマンドは、第１ルームエアコン群７１０用の第３専用コマンドとも、第２ルームエアコン群７２０用の第４専用コマンドとも異なる。
【０１９０】
（２）詳細構成
以下に、電力アグリゲータ３３０、暖房機器アグリゲータ５０、第１アグリゲータ３１０について説明する。
【０１９１】
ルームエアコンアグリゲータ６０については、下位側に３台の第３〜第５アグリゲータ７１，７２，７３が接続されている点を除き、暖房機器アグリゲータ５０と同様であるので、説明は省略する。また、第２アグリゲータ３２０及び第３〜第５アグリゲータ７１，７２，７３については、第１アグリゲータ３１０と同様であるので説明を省略する。
【０１９２】
（２−１）電力アグリゲータ
電力アグリゲータ３３０は、ここでは、暖房機器アグリゲータ５０及びルームエアコンアグリゲータ６０に対し、第３電力調整要求を送信する第２上位アグリゲータ装置の一例である。電力アグリゲータ３３０は、図１０に示すように、主に、送受信部３３１と、制御部３３２と、記憶部３３３と、を有する。
【０１９３】
（２−１−１）送受信部
送受信部３３１は、上位側の電力会社９０の管理装置９０ａと通信回線により接続されている。また、送受信部３３１は、下位側の暖房機器アグリゲータ５０及びルームエアコンアグリゲータ６０と通信回線により接続されている。送受信部３３１は、管理装置９０ａと、暖房機器アグリゲータ５０及びルームエアコンアグリゲータ６０と、各種情報の授受を行う。
【０１９４】
具体的には、送受信部３３１は、例えば、管理装置９０ａから、第１電力調整要求（電力使用量の調整要求）を、電力使用量の調整要求期間及び電力使用量の目標調整量と共に受信する。送受信部３３１は、例えば、暖房機器アグリゲータ５０から送信された第１及び第２暖房機器群１００，２００の電力使用量に関する情報と、ルームエアコンアグリゲータ６０から送信された第１〜第３ルームエアコン群７１０，７２０，７３０の電力使用量に関する情報と、を受信する。また、送受信部３３１は、例えば、後述する制御部３３２が算出した第１及び第２暖房機器群１００，２００の電力使用量と、第１〜第３ルームエアコン群７１０，７２０，７３０の電力使用量との合計を、管理装置９０ａに対して送信する。送受信部３３１は、例えば、後述する制御部３３２の電力調整量分配部３３２ａが算出した第１分割目標調整量を、暖房機器アグリゲータ５０に、第３電力調整要求と共に送信する。また、送受信部３３１は、電力調整量分配部３３２ａが算出した第２分割目標調整量を、ルームエアコンアグリゲータ６０に、第３電力調整要求と共に送信する。
【０１９５】
電力アグリゲータ３３０は、暖房機器アグリゲータ５０及びルームエアコンアグリゲータ６０に対し、第３電力調整要求を送信する際に、暖房機器アグリゲータ５０及びルームエアコンアグリゲータ６０に共通のコマンドを用いる。電力アグリゲータ３３０と暖房機器アグリゲータ５０及びルームエアコンアグリゲータ６０との間の通信には、同一の通信プロトコルが用いられる。
【０１９６】
（２−１−２）制御部
制御部３３２は、主にＣＰＵからなり、後述する記憶部３３３に記憶されたプログラムを実行することで各種処理を実行する。例えば、制御部３３２は、送受信部３３１が受信した情報を基に、各種演算を行う。また、制御部３３２は、送受信部３３１が受信した情報や制御部３３２の各種演算の結果等を記憶部３３３に書き込み、必要に応じて記憶部３３３から情報を読み出す。
【０１９７】
具体的には、制御部３３２は、例えば、送受信部３３１が受信した第１及び第２暖房機器群１００，２００の電力使用量と、第１〜第３ルームエアコン群７１０，７２０，７３０の電力使用量とを合算し、これを記憶部３３３に書き込む。その結果、記憶部３３３には、第１及び第２暖房機器群１００，２００の電気使用量と、第１〜第３ルームエアコン群７１０，７２０，７３０の電気使用量との合計が、時系列データとして記憶される。また、制御部３３２は、定期的に、又は、管理装置９０ａの求めに応じ、第１及び第２暖房機器群１００，２００の電力使用量と、第１〜第３ルームエアコン群７１０，７２０，７３０の電力使用量との合計を記憶部３３３から読み出す。そして、制御部３３２は、第１及び第２暖房機器群１００，２００の電力使用量と、第１〜第３ルームエアコン群７１０，７２０，７３０の電力使用量との合計を、管理装置９０ａに送信するよう、送受信部３３１に指示する。
【０１９８】
また例えば、制御部３３２は、送受信部３３１が受信した第１及び第２暖房機器群１００，２００の電力使用量と、第１〜第３ルームエアコン群７１０，７２０，７３０の電力使用量とを用いて、暖房機器アグリゲータ５０及びルームエアコンアグリゲータ６０のそれぞれについて、第３電力調整要求に対する達成度を算出する。言い換えれば、制御部３３２は、暖房機器アグリゲータ５０及びルームエアコンアグリゲータ６０のそれぞれが、電力アグリゲータ３３０の送信した第１分割目標調整量及び第２分割目標調整量に対し、どの程度電力使用量を調整できたかを算出する。算出された、第３電力調整要求に対する達成度は、記憶部３３３に記憶される。
【０１９９】
また、制御部３３２は、以下に説明する電力調整量分配部３３２ａを機能部として有する。
【０２００】
（２−１−２−１）電力調整量分配部
電力調整量分配部３３２ａは、送受信部３３１が管理装置９０ａから受け付けた目標調整量を、暖房機器アグリゲータ５０及びルームエアコンアグリゲータ６０に分配し、それぞれ第１分割目標調整量及び第２分割目標調整量として算出する。目標調整量の、暖房機器アグリゲータ５０及びルームエアコンアグリゲータ６０への分配方法の考え方は、第１実施形態における、目標調整量の第１及び第２アグリゲータ１０，２０への分配方法の考え方と同様であるので、説明は省略する。
【０２０１】
（２−１−３）記憶部
記憶部３３３は、主に、ＲＡＭ、ＲＯＭ、及びハードディスク等からなる。記憶部３３３には、制御部３３２により使用される各種プログラムや、各種情報が記憶される。
【０２０２】
記憶部３３３には、例えば、第１及び第２暖房機器群１００，２００と、第１〜第３ルームエアコン群７１０，７２０，７３０の最大消費電力に関する情報が記憶されている。また、記憶部３３３には、例えば、送受信部３３１が受信した、第１及び第２暖房機器群１００，２００の電力使用量に関する情報と、第１〜第３ルームエアコン群７１０，７２０，７３０の電力使用量に関する情報と、制御部３３２により算出された、第１及び第２暖房機器群１００，２００の電力使用量及び第１〜第３ルームエアコン群７１０，７２０，７３０の電力使用量の合計とが、時系列データとして記憶される。また、例えば、記憶部３３３には、制御部３３２により算出された、暖房機器アグリゲータ５０及びルームエアコンアグリゲータ６０の、第３電力調整要求に対する達成度が記憶される。
【０２０３】
（２−２）暖房機器アグリゲータ
暖房機器アグリゲータ５０は、第１及び第２アグリゲータ３１０，３２０に対し、第４電力調整要求（エネルギー調整要求）を送信する第１上位アグリゲータ装置の一例である。暖房機器アグリゲータ５０は、図１１に示すように、主に、送受信部５１と、制御部５２と、記憶部５３と、を有する。
【０２０４】
（２−２−１）送受信部
送受信部５１は、上位側の電力アグリゲータ３３０と通信回線により接続されている。また、送受信部５１は、下位側の第１及び第２アグリゲータ３１０，３２０と通信回線により接続されている。送受信部５１は、電力アグリゲータ３３０と、第１及び第２アグリゲータ３１０，３２０と、各種情報の授受を行う。
【０２０５】
具体的には、送受信部５１は、例えば、電力アグリゲータ３３０から、第３電力調整要求を、電力使用量の調整要求期間及び第１分割目標調整量と共に受信する。送受信部５１は、例えば、第１アグリゲータ３１０から送信された第１暖房機器群１００の電力使用量に関する情報と、第２アグリゲータ３２０から送信された第２暖房機器群２００の電力使用量に関する情報と、を受信する。また、送受信部５１は、例えば、後述する制御部５２が算出した、第１暖房機器群１００の電力使用量と、第２暖房機器群２００の電力使用量の電力使用量との合計を、電力アグリゲータ３３０に対して送信する。送受信部５１は、例えば、後述する制御部５２の電力調整量分配部５２ａが算出した第１要求量を、第４電力調整要求（エネルギー調整要求）と共に、第１アグリゲータ３１０に送信する。送受信部５１は、例えば、後述する電力調整量分配部５２ａ算出した第２要求量を、第４電力調整要求と共に、第２アグリゲータ３２０に送信する。
【０２０６】
暖房機器アグリゲータ５０は、第１及び第２アグリゲータ３１０，３２０に対し、第４電力調整要求を送信する際に、第１及び第２アグリゲータ３１０，３２０に共通のコマンドを用いる。また、電力アグリゲータ３３０と第１及び第２アグリゲータ３１０，３２０との間の通信には、同一の通信プロトコルが用いられる。
【０２０７】
（２−２−２）制御部
制御部５２は、主にＣＰＵからなり、後述する記憶部５３に記憶されたプログラムを実行することで各種処理を実行する。例えば、制御部５２は、送受信部５１が受信した情報を基に、各種演算を行う。また、制御部５２は、送受信部５１が受信した情報や制御部５２の各種演算の結果等を記憶部５３に書き込み、必要に応じて記憶部５３から情報を読み出す。
【０２０８】
具体的には、制御部５２は、例えば、送受信部５１が受信した第１暖房機器群１００の電力使用量と、第２暖房機器群２００の電力使用量とを合算し、これを記憶部５３に書き込む。その結果、記憶部５３には、第１暖房機器群１００の電力使用量と第２暖房機器群２００の電力使用量との合計が、時系列データとして記憶される。また、制御部５２は、定期的に、又は、電力アグリゲータ３３０の求めに応じ、第１暖房機器群１００の電力使用量と第２暖房機器群２００の電力使用量との合計を記憶部５３から読み出す。そして、制御部５２は、読み出した第１暖房機器群１００の電力使用量と第２暖房機器群２００の電力使用量との合計を電力アグリゲータ３３０に対して送信するよう、送受信部５１に指示する。
【０２０９】
また例えば、制御部５２は、送受信部５１が受信した第１暖房機器群１００の電力使用量と、第２暖房機器群２００の電力使用量とを用いて、第１及び第２アグリゲータ３１０，３２０のそれぞれについて、第４電力調整要求に対する達成度を算出する。言い換えれば、制御部５２は、第１及び第２アグリゲータ３１０，３２０のそれぞれが、暖房機器アグリゲータ５０の送信した第１要求量及び第２要求量に対し、どの程度電力使用量を調整できたかを算出する。算出された、第４電力調整要求に対する達成度は、記憶部５３に記憶される。
【０２１０】
また、制御部５２は、以下に説明する電力調整量分配部５２ａを機能部として有する。
【０２１１】
（２−２−２−１）電力調整量分配部
電力調整量分配部５２ａは、送受信部５１が電力アグリゲータ３３０から受け付けた第１分割目標調整量を、第１及び第２アグリゲータ３１０，３２０に分配し、それぞれ第１要求量及び第２要求量として算出する。第１分割目標調整量の、第１及び第２アグリゲータ３１０，３２０への分配方法の考え方は、第１実施形態における、電力アグリゲータ３０の、電力使用量の目標調整量の、第１及び第２アグリゲータ１０，２０への分配方法の考え方と同様であるので、説明は省略する。
【０２１２】
（２−２−３）記憶部
記憶部５３は、主に、ＲＡＭ、ＲＯＭ、及びハードディスク等からなる。記憶部５３には、制御部５２により使用される各種プログラムや、各種情報が記憶される。
【０２１３】
記憶部５３には、例えば、第１暖房機器群１００及び第２暖房機器群２００の最大消費電力に関する情報が記憶されている。また、記憶部５３には、例えば、送受信部５１が受信した、第１及び第２暖房機器群１００，２００の電力使用量に関する情報と、制御部５２により算出された、第１暖房機器群１００の電力使用量及び第２暖房機器群２００の電力使用量の合計とが、時系列データとして記憶される。また、例えば、記憶部５３には、制御部５２により算出された、第１アグリゲータ３１０及び第２アグリゲータ３２０の、第４電力調整要求に対する達成度が記憶される。
【０２１４】
（２−３）第１アグリゲータ
第１アグリゲータ３１０は、ヒートポンプを熱源として利用する第１暖房機器１００ａからなる第１暖房機器群１００のデマンドレスポンス関連制御を行う。より具体的には、第１アグリゲータ３１０は、暖房機器アグリゲータ５０からの第４電力調整要求に応じ、第１暖房機器群１００用の第１専用コマンドを用いて、複数の住宅に設置されている第１暖房機器群１００のデマンドレスポンス関連制御を行う。
【０２１５】
なお、第１アグリゲータ３１０は、上位側の装置が電力アグリゲータ３０ではなく暖房機器アグリゲータ５０であり、暖房機器アグリゲータ５０から第１要求量を第４電力調整要求と共に受信する点を除き、第１実施形態の第１アグリゲータ１０と同様であるため、ここでは詳しい説明は省略する。
【０２１６】
（３）デマンドレスポンスシステムによる電力使用量の調整制御
管理装置９０ａから電力アグリゲータ３３０に第１電力調整要求が送信された場合の、デマンドレスポンスシステム１Ｂによる第１及び第２暖房機器群１００，２００、第１〜第３ルームエアコン群７１０，７２０，７３０の電力使用量の調整制御について、図１２のフローチャートを用いて説明する。
【０２１７】
ステップＳ１０１では、管理装置９０ａが送信した、第１電力調整要求、電力使用量の調整要求期間、及び電力使用量の目標調整量を、電力アグリゲータ３３０が受信する。その後ステップＳ１０２に進む。
【０２１８】
ステップＳ１０２では、電力アグリゲータ３３０が、管理装置９０ａから受け付けた電力使用量の目標調整量を、暖房機器アグリゲータ５０及びルームエアコンアグリゲータ６０に分配し、それぞれ第１分割目標調整量及び第２分割目標調整量として算出する。具体的には、電力アグリゲータ３３０は、例えば、第１及び第２暖房機器群１００，２００の現在の電力使用量の合計と、第１〜第３ルームエアコン群７１０，７２０，７３０の現在の電力使用量の合計とを基に、暖房機器アグリゲータ５０及びルームエアコンアグリゲータ６０に目標調整量を分配し、第１分割目標調整量及び第２分割目標調整量として算出する。第１及び第２分割目標調整量の算出後、ステップＳ１０３に進む。
【０２１９】
ステップＳ１０３では、電力アグリゲータ３３０は、算出された第１分割目標調整量及び電力使用量の調整要求期間を、暖房機器アグリゲータ５０に、第３電力調整要求と共に送信する。また、電力アグリゲータ３３０は、算出された第２分割目標調整量及び電力使用量の調整要求期間を、ルームエアコンアグリゲータ６０に、第３電力調整要求と共に送信する。なお、電力アグリゲータ３３０は、暖房機器アグリゲータ５０及びルームエアコンアグリゲータ６０に対し、暖房機器アグリゲータ５０及びルームエアコンアグリゲータ６０に共通のコマンドを用いて、第３電力調整要求等を送信する。
【０２２０】
ルームエアコンアグリゲータ６０が第３電力調整要求を受信した後の、ルームエアコンアグリゲータ６０、第３〜第５アグリゲータ７１〜７３、及び、第１〜第３ルームエアコン群７１０，７２０，７３０、の動作は、暖房機器アグリゲータ５０が第３電力調整要求を受信した後の、暖房機器アグリゲータ５０、第１及び第２アグリゲータ３１０，３２０、及び、第１及び第２暖房機器群１００，２００の動作と同様である。そのため、ルームエアコンアグリゲータ６０と、その下位の装置及び機器（第３〜第５アグリゲータ７１〜７３及び第１〜第３ルームエアコン群７１０，７２０，７３０）と、の動作についての説明はここでは省略する。
【０２２１】
ステップＳ１０４では、電力アグリゲータ３３０が送信した、第３電力調整要求、電力使用量の調整要求期間、及び第１分割目標調整量を、暖房機器アグリゲータ５０が受信する。その後ステップＳ１０５に進む。
【０２２２】
ステップＳ１０５では、暖房機器アグリゲータ５０が、電力アグリゲータ３３０から受け付けた第１分割目標調整量を、第１アグリゲータ３１０及び第２アグリゲータ３２０に分配し、それぞれ第１要求量及び第２要求量として算出する。具体的には、暖房機器アグリゲータ５０は、第１暖房機器群１００の現在の電力使用量と、第２暖房機器群２００の現在の電力使用量とを基に、第１分割目標調整量を第１アグリゲータ３１０及び第２アグリゲータ３２０に分配し、第１要求量及び第２要求量として算出する。第１要求量及び第２要求量の算出後、ステップＳ１０６に進む。
【０２２３】
ステップＳ１０６では、暖房機器アグリゲータ５０は、算出された第１要求量及び電力使用量の調整要求期間を、第１アグリゲータ３１０に、第４電力調整要求と共に送信する。また、暖房機器アグリゲータ５０は、算出された第２要求量及び電力使用量の調整要求期間を、第２アグリゲータ３２０に、第４電力調整要求と共に送信する。なお、暖房機器アグリゲータ５０は、第１アグリゲータ３１０及び第２アグリゲータ３２０に対し、第１及び第２アグリゲータ３１０，３２０に共通のコマンドを用いて、第４電力調整要求等を送信する。その後、ステップＳ１０７及びステップＳ１２７へと進む。
【０２２４】
以下で説明するステップＳ１０７〜ステップＳ１１２は、第１アグリゲータ３１０と、第１アグリゲータ３１０により制御される第１暖房機器群１００により実行される。ステップＳ１２７〜ステップＳ１３２は、第２アグリゲータ３２０と、第２アグリゲータ３２０により制御される第２暖房機器群２００と、により実行される。ステップＳ１０７〜ステップＳ１１２と、ステップＳ１２７〜ステップＳ１３２とは、並行して実行される。
【０２２５】
ステップＳ１０７では、暖房機器アグリゲータ５０が送信した、第４電力調整要求、電力使用量の調整要求期間、及び第１要求量を第１アグリゲータ３１０が受信する。その後ステップＳ１０８に進む。
【０２２６】
ステップＳ１０８では、第１アグリゲータ３１０は、暖房機器アグリゲータ５０から受け付けた第１要求量を、各第１暖房機器１００ａに分配する。具体的には、第１アグリゲータ３１０は、例えば、各第１暖房機器１００ａへの分配量が、各第１暖房機器１００ａの現在の電力使用量に比例するように、第１要求量を各第１暖房機器１００ａに分配する。その後、ステップＳ１０９へ進む。
【０２２７】
ステップＳ１０９では、第１アグリゲータ３１０は、各第１暖房機器１００ａに分配された分配量だけ各第１暖房機器１００ａが電力消費量を調整できる制御内容を決定する。第１アグリゲータ３１０が決定する第１暖房機器１００ａの制御内容は、第１実施形態と同様であるので、説明を省略する。第１アグリゲータ３１０は、各第１暖房機器１００ａの制御内容を決定すると、その制御内容を各第１暖房機器１００ａに実行させるための制御指令を生成する。その後、ステップＳ１１０へ進む。
【０２２８】
ステップＳ１１０では、第１アグリゲータ３１０が生成した制御指令が、各第１暖房機器１００ａに対して送信される。なお、第１アグリゲータ３１０は、第１暖房機器群１００用の第１専用コマンドを用いて、各第１暖房機器１００ａに制御指令を送信する。その後、ステップＳ１１１へと進む。
【０２２９】
ステップＳ１１１では、各第１暖房機器１００ａが、第１アグリゲータ３１０から送信された制御指令を受信する。その後ステップＳ１１２へ進む。
【０２３０】
ステップＳ１１２では、第１暖房機器１００ａは、受信した制御指令を実行する。
【０２３１】
ステップＳ１２７〜ステップＳ１３２については、ステップＳ１０７〜ステップＳ１１２と同様であるので説明は省略する。
【０２３２】
（４）特徴
第２実施形態に係るデマンドレスポンスシステム１Ｂは、以下の特徴を有する。また、デマンドレスポンスシステム１Ｂも、第１実施形態の（６−２），（６−３），（６−５）と同じ特徴を有する。
【０２３３】
（４−１）
第１実施形態に係るデマンドレスポンスシステム１Ｂは、第１アグリゲータ装置の一例としての第１アグリゲータ３１０と、第２アグリゲータ装置の一例としての第２アグリゲータ３２０と、第１上位アグリゲータ装置の一例としての暖房機器アグリゲータ５０と、を備える。第１アグリゲータ３１０は、ヒートポンプ機器としての第１暖房機器１００ａを含む第１暖房機器群１００のデマンドレスポンス関連制御を行う。第２アグリゲータ３２０は、第１暖房機器群１００とは異なる第２暖房機器群２００のデマンドレスポンス関連制御を行う。暖房機器アグリゲータ５０は、第１アグリゲータ３１０及び第２アグリゲータ３２０に対し、第１アグリゲータ３１０及び第２アグリゲータ３２０に共通のコマンドを用いて、第４電力調整要求（エネルギー調整要求）を送信する。第１アグリゲータ３１０は、第４電力調整要求に応じ、第１暖房機器群１００用の第１専用コマンドを用いて、複数の住宅に設置されている第１暖房機器群１００のデマンドレスポンス関連制御を行う。第２アグリゲータ３２０は、第２電力調整要求に応じ、第１専用コマンドとは異なる、第２暖房機器群２００用の第２専用コマンドを用いて、複数の住宅に設置されている第２暖房機器群２００のデマンドレスポンス関連制御を行う。
【０２３４】
ここでは、第１アグリゲータ３１０が第１専用コマンドを用いて第１暖房機器群１００のデマンドレスポンス関連制御を行い、第２アグリゲータ３２０が第２専用コマンドを用いて第２暖房機器群２００のデマンドレスポンス関連制御を行うため、電力アグリゲータ３３０や、暖房機器アグリゲータ５０は、第１暖房機器群１００及び第２暖房機器群２００の機器の制御仕様について把握する必要がない。つまり、デマンドレスポンスシステム１Ｂでは、第１暖房機器群１００及び第２暖房機器群２００の機器の制御仕様を標準化し、全ての機器の共通コマンドを開発しなくても、精度よくデマンドレスポンスを実現可能である。
【０２３５】
（４−２）
第２実施形態に係るデマンドレスポンスシステム１Ｂでは、暖房機器アグリゲータ５０は、第１分割目標調整量を第１アグリゲータ３１０及び第２アグリゲータ３２０に分配し、それぞれ第１要求量及び第２要求量として、第１アグリゲータ３１０及び第２アグリゲータ３２０に、第４電力調整要求と共に送信する。第１アグリゲータ３１０は、第１要求量を第１暖房機器群１００の各第１暖房機器１００ａに分配し、第１要求量の分配結果に基づいて第１暖房機器群１００のデマンドレスポンス関連制御を行う。第２アグリゲータ３２０は、第２要求量を第２暖房機器群２００の各第２暖房機器２００ａに分配し、第２要求量の分配結果に基づいて第２暖房機器群２００のデマンドレスポンス関連制御を行う。
【０２３６】
ここでは、暖房機器アグリゲータ５０は、第１及び第２アグリゲータ３１０，３２０に第１分割目標調整量を分配するだけでよく、第１及び第２暖房機器群１００，２００の各機器１００ａ，２００ａへの電力使用量の調整量の分配は、第１及び第２アグリゲータ３１０，３２０により実行される。そのため、暖房機器アグリゲータ５０は、第１及び第２アグリゲータ３１０，３２０の需給調整特性について把握していればよく、第１暖房機器群１００の第１暖房機器１００ａ、及び、第２暖房機器群２００の第２暖房機器２００ａの制御仕様を把握する必要がない。つまり、ここでは、暖房機器アグリゲータ５０が、第１暖房機器群１００の第１暖房機器１００ａ、及び、第２暖房機器群２００の第２暖房機器２００ａの制御仕様を把握していなくても、デマンドレスポンスを精度よく実現できる。
【０２３７】
（４−３）
第２実施形態に係るデマンドレスポンスシステム１Ｂでは、第１分割目標調整量を暖房機器アグリゲータ５０に送信する第２上位アグリゲータ装置としての電力アグリゲータ３３０を備える。第１暖房機器群１００は、複数の第１暖房機器１００ａからのみなる。第２暖房機器群２００は、複数の、第２ヒートポンプ機器としての第２暖房機器２００ａのみからなる。第１暖房機器１００ａ及び第２暖房機器２００ａは、同一種類のヒートポンプ機器である。
【０２３８】
ここでは、暖房機器アグリゲータ５０は、同種のヒートポンプ機器（ここでは、暖房機器）を制御する第１及び第２アグリゲータ３１０，３２０に目標調整量を分配する。そのため、暖房機器アグリゲータ５０は、暖房機器の特性を踏まえたうえで、第１及び第２アグリゲータ３１０，３２０に適切に第１分割目標調整量を分配可能である。その結果、ここでは、デマンドレスポンスが精度よく実現されやすい。
【０２３９】
（５）変形例
以下に、第２実施形態に係るデマンドレスポンスシステム１Ｂの変形例を示す。変形例は、互いに矛盾しない範囲で複数組み合わされてもよい。また、デマンドレスポンスシステム１Ｂは、矛盾のない範囲で、第１実施形態に係る変形例の特徴を備えていてもよい。
【０２４０】
（５−１）変形例２Ａ
上記実施形態では、図９のように、電力アグリゲータ３３０と、暖房機器アグリゲータ５０及びルームエアコンアグリゲータ６０とを、それぞれ独立した装置としているが、これに限定されるものではない。例えば、暖房機器アグリゲータ及びルームエアコンアグリゲータの機能は、電力アグリゲータの機能部により実施されてもよい。
【０２４１】
（５−２）変形例２Ｂ
上記実施形態では、電力アグリゲータ３３０の下位に、２つのアグリゲータ（暖房機器アグリゲータ５０及びルームエアコンアグリゲータ６０）しか存在していないが、これに限定されるものではない。例えば、電力アグリゲータ３３０の下位には、パッケージエアコンアグリゲータ、マルチエアコンアグリゲータ、ヒートポンプ給湯器アグリゲータ、冷蔵機器アグリゲータ、電気自動車アグリゲータ等のアグリゲータが存在してもよい。
【０２４２】
＜第３実施形態＞
本発明の第３実施形態にかかる、デマンドレスポンスシステム１Ｃについて、図面を参照して説明する。なお、下記の実施形態は、例示であり、本発明の趣旨を逸脱しない範囲で適宜変更可能である。
【０２４３】
（１）全体概要
図１３は、デマンドレスポンスシステム１Ｃを含む電力ネットワークＣの全体概要図を示している。電力ネットワークＣは、電力会社９０と、デマンドレスポンスシステム１Ｃと、第１及び第２機器群５００，６００と、を含む。デマンドレスポンスシステム１Ｃは、電力アグリゲータ４３０と、第１及び第２アグリゲータ４１０，４２０と、第１及び第２暖房機器アグリゲータ４１０ａ，４２０ａと、第１及び第２ルームエアコンアグリゲータ４１０ｂ，４２０ｂと、を備える。
【０２４４】
デマンドレスポンスシステム１Ｃでは、第１機器群５００は、第１実施形態とは異なり、複数種類（ここでは、第１暖房機器１００ａと、第１ルームエアコン７１０ａと、の２種類）の機器からなる。また、第２機器群６００も、複数種類（ここでは、第２暖房機器２００ａと、第２ルームエアコン７２０ａと、の２種類）の機器からなる。なお、第１及び第２暖房機器１００ａ，２００ａは、第１実施形態に記載のものと同様であり、第１及び第２ルームエアコン７１０ａ，７２０ａは、第２実施形態に記載のものと同様である。
【０２４５】
ただし、ここでは、第１暖房機器１００ａ及び第１ルームエアコン７１０ａは、製造者Ｚ１が製造した機器である。第２暖房機器２００ａ及び第２ルームエアコン７２０ａは、製造者Ｚ２が製造した機器である。
【０２４６】
デマンドレスポンスシステム１Ｃは、第１実施形態のデマンドレスポンスシステム１Ａと共通点も多いので、以下では、デマンドレスポンスシステム１Ａとの相違点を中心に説明する。
【０２４７】
電力ネットワークＣでは、電力会社９０は、電力需要者の有する、第１及び第２機器群５００，６００に電力を供給する。また、電力会社９０は、電力需要者の有する、第１及び第２機器群５００，６００に含まれない機器（図示せず）にも電力を供給する。
【０２４８】
電力会社９０は、管理装置９０ａを有する。管理装置９０ａは、電力会社９０の電力供給量と、電力需要者の電力使用量、がバランスするように、必要に応じて、電力アグリゲータ４３０に電力使用量の調整要求を送信する。管理装置９０ａについては、第１実施形態のデマンドレスポンスシステム１Ａのものと同様であるので、説明は省略する。
【０２４９】
電力アグリゲータ４３０は、第１上位アグリゲータ装置の一例である。電力アグリゲータ４３０は、上位側の電力会社９０の管理装置９０ａと通信回線で接続されている（図１３参照）。また、電力アグリゲータ４３０は、下位側の第１及び第２アグリゲータ４１０，４２０と通信回線で接続されている（図１３参照）。
【０２５０】
電力アグリゲータ４３０は、管理装置９０ａから第１電力調整要求を受け付けると、その要求に応じるために、第１及び第２アグリゲータ４１０，４２０に対し、電力使用量の調整要求を送信する。なお、以下では、電力アグリゲータ４３０が第１及び第２アグリゲータ４１０，４２０に対して送信する電力使用量の調整要求を、第２電力調整要求と呼ぶ。第２電力調整要求はエネルギー調整要求の一例である。
【０２５１】
第１アグリゲータ４１０は、第１アグリゲータ装置の一例である。第１アグリゲータ４１０は、上位側の電力アグリゲータ４３０と通信回線により接続されている（図１３参照）。また、第１アグリゲータ４１０は、下位側の第１暖房機器アグリゲータ４１０ａ及び第１ルームエアコンアグリゲータ４１０ｂと通信回線により接続されている（図１３参照）。
【０２５２】
第１アグリゲータ４１０は、電力アグリゲータ４３０からの第２電力調整要求に応じ、第１機器群５００のデマンドレスポンス関連制御を行う。上記のように、第１機器群５００に含まれる第１暖房機器１００ａ及び第１ルームエアコン７１０ａは、製造者Ｚ１の製造した製品である。第１アグリゲータ４１０は、製造者Ｚ１の製造した機器用のアグリゲータである。第１アグリゲータ４１０は、製造者Ｚ１固有の、第１機器群５００用の第１専用コマンドを用いて第１機器群５００のデマンドレスポンス関連制御を行う。
【０２５３】
なお、第１機器群５００に含まれる第１暖房機器１００ａ及び第１ルームエアコン７１０ａは、機器仕様や機器特性が異なる。ここでは、各機器（第１暖房機器１００ａ及び第１ルームエアコン７１０ａ）に適した制御を行うため、第１アグリゲータ４１０の下位に、第１暖房機器１００ａのデマンドレスポンス関連制御を統括する第１暖房機器アグリゲータ４１０ａと、第１ルームエアコン７１０ａのデマンドレスポンス関連制御を統括する第１ルームエアコンアグリゲータ４１０ｂとが設けられている。
【０２５４】
第１アグリゲータ４１０と第１暖房機器アグリゲータ４１０ａ及び第１ルームエアコンアグリゲータ４１０ｂとの通信、第１暖房機器アグリゲータ４１０ａと各第１暖房機器１００ａとの通信、及び、第１ルームエアコンアグリゲータ４１０ｂと各第１ルームエアコン７１０ａとの通信には、製造者Ｚ１固有の第１機器群５００用の通信プロトコルが用いられる。ただし、これに限定されるものではなく、第１機器群５００用の通信プロトコルは、汎用的な通信プロトコルであってもよい。
【０２５５】
第２アグリゲータ４２０は、第２アグリゲータ装置の一例である。第２アグリゲータ４２０は、上位側の電力アグリゲータ４３０と通信回線により接続されている（図１３参照）。また、第２アグリゲータ４２０は、下位側の第２暖房機器アグリゲータ４２０ａ及び第２ルームエアコンアグリゲータ４２０ｂと通信回線により接続されている（図１３参照）。
【０２５６】
第２アグリゲータ４２０は、電力アグリゲータ４３０からの第２電力調整要求に応じ、第２機器群６００のデマンドレスポンス関連制御を行う。上記のように、第２機器群６００に含まれる第２暖房機器２００ａ及び第２ルームエアコン７２０ａは、製造者Ｚ２の製造した製品である。第２アグリゲータ４２０は、製造者Ｚ２の製造した機器用のアグリゲータである。第２アグリゲータ４２０は、製造者Ｚ２固有の、第２機器群６００用の第２専用コマンドを用いて、第２機器群６００のデマンドレスポンス関連制御を行う。
【０２５７】
なお、第２機器群６００に含まれる第２暖房機器２００ａ及び第２ルームエアコン７２０ａは、機器仕様や機器特性が異なる。ここでは、各機器（第２暖房機器２００ａ及び第２ルームエアコン７２０ａ）に適した制御を行うため、第２アグリゲータ４２０の下位に、第２暖房機器２００ａのデマンドレスポンス関連制御を統括する第２暖房機器アグリゲータ４２０ａと、第２ルームエアコン７２０ａのデマンドレスポンス関連制御を統括する第２ルームエアコンアグリゲータ４２０ｂとが設けられている。
【０２５８】
第２アグリゲータ４２０と第２暖房機器アグリゲータ４２０ａ及び第２ルームエアコンアグリゲータ４２０ｂとの通信、第２暖房機器アグリゲータ４２０ａと各第２暖房機器２００ａとの通信、及び、第２ルームエアコンアグリゲータ４２０ｂと各第２ルームエアコン７２０ａとの通信には、製造者Ｚ２固有の第２機器群６００用の通信プロトコルが用いられる。ただし、これに限定されるものではなく、第２機器群６００用の通信プロトコルは、汎用的な通信プロトコルであってもよい。
【０２５９】
（２）詳細構成
以下に、電力アグリゲータ４３０、第１アグリゲータ４１０、第１暖房機器アグリゲータ４１０ａについて説明する。
【０２６０】
（２−１）電力アグリゲータ
電力アグリゲータ４３０は、第１及び第２アグリゲータ４１０，４２０に対し、第２電力調整要求（エネルギー調整要求）を送信する第１上位アグリゲータ装置の一例である。
【０２６１】
電力アグリゲータ４３０は、上位側の電力会社９０の管理装置９０ａと通信回線により接続されている。また、電力アグリゲータ４３０は、下位側の第１及び第２アグリゲータ４１０，４２０と通信回線により接続されている。
【０２６２】
電力アグリゲータ４３０は、管理装置９０ａから、第１電力調整要求を、電力使用量の調整要求期間及び電力使用量の目標調整量と共に受け付ける。そして、管理装置９０ａから受け付けた電力使用量の目標調整量は、例えば、第１機器群５００の現在の電力使用量と、第２機器群６００の現在の電力使用量との情報を基に、第１アグリゲータ４１０及び第２アグリゲータ４２０に分配される。第１アグリゲータ４１０及び第２アグリゲータ４２０に分配された電力使用量の目標調整量は、それぞれ第１要求量及び第２要求量として、第１アグリゲータ４１０及び第２アグリゲータ４２０に、第２電力調整要求と共に送信される。
【０２６３】
なお、電力アグリゲータ４３０は、第１実施形態で記載した電力アグリゲータ３０と、同様であるので、ここでは詳細な説明を省略する。
【０２６４】
（２−２）第１アグリゲータ
第１アグリゲータ４１０は、上位側の電力アグリゲータ４３０と通信回線により接続されている。また、第１アグリゲータ４１０は、下位側の第１暖房機器アグリゲータ４１０ａ及び第１ルームエアコンアグリゲータ４１０ｂと通信回線により接続されている。第１アグリゲータ４１０は、第１機器群５００のデマンドレスポンス関連制御を行う。第１機器群５００は、上述のように、製造者Ｚ１により製造された、第１暖房機器１００ａと、第１ルームエアコン７１０ａと、からなる。第１暖房機器１００ａと、第１ルームエアコン７１０ａは、いずれもヒートポンプ機器であり、第１ヒートポンプ機器の一例である。
【０２６５】
第１アグリゲータ４１０は、電力アグリゲータ４３０からの第２電力調整要求に応じ、第１機器群５００用の第１専用コマンド（製造者Ｚ１に固有の第１専用コマンド）を用いて、複数の住宅に設置されている第１機器群５００のデマンドレスポンス関連制御を行う。具体的に説明する。
【０２６６】
第１アグリゲータ４１０は、電力アグリゲータ４３０から、第２電力調整要求を、電力使用量の調整要求期間及び第１要求量と共に受け付ける。第１アグリゲータ４１０は、例えば、電力アグリゲータ４３０から受け付けた第１要求量を、各機器１００ａ，７１０ａの現在の電力使用量に比例するように、各機器１００ａ，７１０ａに分配する。ただし、分配の方法は、これに限定されるものではない。第１アグリゲータ４１０は、各機器１００ａ，７１０ａへの第１要求量の分配結果に基づいて、第１機器群５００のデマンドレスポンス関連制御を行う。より具体的には、第１アグリゲータ４１０は、各第１暖房機器１００ａへの第１要求量の分配結果を第１暖房機器アグリゲータ４１０ａに、各第１ルームエアコン７１０ａへの第１要求量の分配結果を第１ルームエアコンアグリゲータ４１０ｂに、第１機器群５００用の第１専用コマンド（製造者Ｚ１に固有のコマンド）を用いて送信する。
【０２６７】
なお、第２アグリゲータ４２０では、第２暖房機器アグリゲータ４２０ａ及び第２ルームエアコンアグリゲータ４２０ｂに対するコマンドとして、第１機器群５００用の第１専用コマンドとは異なる、第２機器群６００用の第２専用コマンド（製造者Ｚ２に固有のコマンド）が用いられる。この点を除き、第２アグリゲータ４２０は、第１アグリゲータ４１０と同様である。そのため、ここでは、第２アグリゲータ４２０についての説明を省略する。
【０２６８】
なお、第２アグリゲータ４２０と第１アグリゲータ４１０とが同様であるとは、第２アグリゲータ４２０においても、第２アグリゲータ４２０が受け付けた第２要求量が、第２機器群６００の各機器２００ａ，７２０ａに分配されるということを意味するものであり、両者が同一であることを意味するものではない。例えば、第２アグリゲータ４２０の、第２要求量の各機器２００ａ，７２０ａへの分配方法は、第１アグリゲータ４１０の、第１要求量の各機器１００ａ，７１０ａへの分配方法とは異なっていてもよい。
【０２６９】
（２−３）第１暖房機器アグリゲータ
第１暖房機器アグリゲータ４１０ａは、上位側の第１アグリゲータ４１０と通信回線により接続されている。また、第１暖房機器アグリゲータ４１０ａは、下位側の第１暖房機器１００ａと通信回線により接続されている。
【０２７０】
第１暖房機器アグリゲータ４１０ａは、第１アグリゲータ４１０から受け付けた各第１暖房機器１００ａへの第１要求量の分配結果に基づいて、各第１暖房機器１００ａの制御内容を決定する。また、第１暖房機器アグリゲータ４１０ａは、決定した制御内容を各第１暖房機器１００ａに実施させるため、各第１暖房機器１００ａに対する制御指令を生成する。なお、第１暖房機器アグリゲータ４１０ａが決定する第１暖房機器１００ａの制御内容の具体例は、第１実施形態の、第１アグリゲータ１０が決定する第１暖房機器１００ａの制御内容と同様であるので、ここでは説明を省略する。生成された制御指令は、各第１暖房機器１００ａに送信される。
【０２７１】
なお、第２暖房機器アグリゲータ４２０ａは、第１暖房機器アグリゲータ４１０ａと同様の装置であるので、ここでは説明を省略する。なお、第２暖房機器アグリゲータ４２０ａと第１暖房機器アグリゲータ４１０ａとが同様であるとは、第２暖房機器アグリゲータ４２０ａも、各第２暖房機器２００ａへの第２要求量の分配結果に基づいて各第２暖房機器２００ａの制御内容が決定し、制御内容を第２暖房機器２００ａに実施させるための制御指令を生成するということを意味するものであり、両者が同一である必要はない。例えば、第２暖房機器アグリゲータ４２０ａの決定する第２暖房機器２００ａの制御内容は、第１暖房機器アグリゲータ４１０ａの決定する第１暖房機器１００ａの制御内容とは異なっていてもよい。
【０２７２】
なお、第１ルームエアコンアグリゲータ４１０ｂ及び第２ルームエアコンアグリゲータ４２０ｂについても、制御内容を決定する対象がルームエアコン７１０ａ，７２０ａであることを除き、第１暖房機器アグリゲータ４１０ａと同様であるので、ここでは説明を省略する。
【０２７３】
（３）デマンドレスポンスシステムによる電力使用量の調整制御
管理装置９０ａから電力アグリゲータ４３０に第１電力調整要求が送信された場合の、デマンドレスポンスシステム１Ｃによる第１及び第２機器群５００，６００の電力使用量の調整制御について、図１４のフローチャートを用いて説明する。
【０２７４】
ステップＳ２０１では、管理装置９０ａが送信した、第１電力調整要求、電力使用量の調整要求期間、及び電力使用量の目標調整量を、電力アグリゲータ４３０が受信する。その後ステップＳ２０２に進む。
【０２７５】
ステップＳ２０２では、電力アグリゲータ４３０が、管理装置９０ａから受け付けた電力使用量の目標調整量を、第１アグリゲータ４１０及び第２アグリゲータ４２０に分配し、それぞれ第１要求量及び第２要求量として算出する。具体的には、電力アグリゲータ４３０は、第１機器群５００及び第２機器群６００の現在の電力使用量と同じ比率で、第１アグリゲータ４１０及び第２アグリゲータ４２０に目標調整量を分配し、第１要求量及び第２要求量として算出する。第１要求量及び第２要求量の算出後、ステップＳ２０３へ進む。
【０２７６】
ステップＳ２０３では、電力アグリゲータ４３０は、算出された第１要求量及び電力使用量の調整要求期間を、第１アグリゲータ４１０に、第２電力調整要求と共に送信する。また、電力アグリゲータ４３０は、算出された第２要求量及び電力使用量の調整要求期間を、第２アグリゲータ４２０に、第２電力調整要求と共に送信する。なお、電力アグリゲータ４３０は、第１及び第２アグリゲータ４１０，４２０に対し、第１及び第２アグリゲータ４１０，４２０に共通のコマンドを用いて、第２電力調整要求等を送信する。
【０２７７】
なお、第２アグリゲータ４２０が第２電力調整要求を受信した後の、第２アグリゲータ４２０、第２暖房機器アグリゲータ４２０ａ、第２ルームエアコンアグリゲータ４２０ｂ、第２暖房機器２００ａ、及び、第２ルームエアコン７２０ａの動作は、第１アグリゲータ４１０が第２電力調整要求を受信した後の、第１アグリゲータ４１０、第１暖房機器アグリゲータ４１０ａ、第１ルームエアコンアグリゲータ４１０ｂ、第１暖房機器１００ａ、及び、第１ルームエアコン７１０ａの動作と同様である。そのため、第２アグリゲータ４２０と、その下位の装置及び機器（第２暖房機器アグリゲータ４２０ａ、第２ルームエアコンアグリゲータ４２０ｂ、第２暖房機器２００ａ、及び第２ルームエアコン７２０ａ）と、の動作についての説明はここでは省略する。
【０２７８】
ステップＳ２０４では、電力アグリゲータ４３０が送信した、第２電力調整要求、電力使用量の調整要求期間、及び第１要求量を第１アグリゲータ４１０が受信する。その後ステップＳ２０５に進む。
【０２７９】
ステップＳ２０５では、第１アグリゲータ４１０は、電力アグリゲータ４３０から受け付けた第１要求量を、第１機器群５００の各機器１００ａ，７１０ａに分配する。具体的には、第１アグリゲータ４１０は、例えば、各機器１００ａ，７１０ａの現在の電力使用量に比例するように、第１要求量を各機器１００ａ，７１０ａに分配する。その後ステップＳ２０６へ進む。
【０２８０】
ステップＳ２０６では、第１アグリゲータ４１０は、第１暖房機器１００ａに対する第１要求量の分配結果を第１暖房機器アグリゲータ４１０ａに、第１ルームエアコン７１０ａに対する第１要求量の分配結果を第１ルームエアコンアグリゲータ４１０ｂに、それぞれ送信する。なお、第１アグリゲータ４１０は、第１機器群５００用の第１専用コマンドを用いて、第１暖房機器アグリゲータ４１０ａ及び第１ルームエアコンアグリゲータ４１０ｂに、制御指令を送信する。その後ステップＳ２０７，Ｓ２２７に進む。
【０２８１】
図１４のステップＳ２０７〜ステップＳ２１１は、第１暖房機器アグリゲータ４１０ａと、第１暖房機器１００ａと、により実行される。ステップＳ２２７〜ステップＳ２３１は、第１ルームエアコンアグリゲータ４１０ｂと、第１ルームエアコン７１０ａと、により実行される。ステップＳ２０７〜ステップＳ２１１と、Ｓ２２７〜ステップＳ２３１とは、並行して実行される。なお、ステップＳ２２７〜ステップＳ２３１は、動作を行う装置及び機器が異なる点を除きステップＳ２０７〜ステップＳ２１１と同様であるので、ここでは説明は省略する。
【０２８２】
ステップＳ２０７では、第１暖房機器アグリゲータ４１０ａは、第１アグリゲータ４１０が送信した第１暖房機器１００ａに対する第１要求量の分配結果を受信する。その後ステップＳ２０８へ進む。
【０２８３】
ステップＳ２０８では、第１暖房機器アグリゲータ４１０ａは、各第１暖房機器１００ａに分配された分配量だけ、各第１暖房機器１００ａの電力消費量を調整できる制御内容を決定する。第１暖房機器アグリゲータ４１０ａが決定する第１暖房機器１００ａの制御内容は、第１実施形態の第１アグリゲータ１０が決定する第１暖房機器１００ａの制御内容と同様であるので、ここでは説明を省略する。第１暖房機器アグリゲータ４１０ａは、各第１暖房機器１００ａの制御内容を決定すると、その制御内容を各第１暖房機器１００ａに実行させるための制御指令を生成する。その後、ステップＳ２０９へ進む。
【０２８４】
ステップＳ２０９では、第１暖房機器アグリゲータ４１０ａが生成した制御指令が、各第１暖房機器１００ａに対して送信される。なお、第１暖房機器アグリゲータ４１０ａは、第１機器群５００用の第１専用コマンドを用いて、各第１暖房機器１００ａに制御指令を送信する。その後、ステップＳ２１０へと進む。
【０２８５】
ステップＳ２１０では、各第１暖房機器１００ａが、第１暖房機器アグリゲータ４１０ａから送信された制御指令を受信する。その後ステップＳ２１１へ進む。
【０２８６】
ステップＳ２１１では、第１暖房機器１００ａは、受信した制御指令を実行する。
【０２８７】
（４）特徴
第３実施形態に係るデマンドレスポンスシステム１Ｃは、第１実施形態に係るデマンドレスポンスシステム１Ａと同様の特徴を有する。
【０２８８】
（５）変形例
以下に、第３実施形態に係るデマンドレスポンスシステム１Ｃの変形例を示す。変形例は、互いに矛盾しない範囲で複数組み合わされてもよい。また、第３実施形態に係るデマンドレスポンスシステム１Ｃは、矛盾のない範囲で、第１実施形態及び第２実施形態に係る変形例の特徴を備えていてもよい。
【０２８９】
（５−１）変形例３Ａ
上記実施形態では、第１アグリゲータ４１０と、第１暖房機器アグリゲータ４１０ａ及び第１ルームエアコンアグリゲータ４１０ｂとを、それぞれ独立した装置としているが、これに限定されるものではない。例えば、第１暖房機器アグリゲータ４１０ａ及び第１ルームエアコンアグリゲータ４１０ｂの機能は、第１アグリゲータ４１０の機能部により実行されてもよい。
【０２９０】
（５−２）変形例３Ｂ
上記実施形態では、デマンドレスポンスシステム１Ｃは、第１暖房機器アグリゲータ４１０ａ及び第１ルームエアコンアグリゲータ４１０ｂを含むが、これに限定されるものではない。例えば、第１機器群５００が複数種類の機器からなる場合であっても、その制御内容を機器の種類によらず決定できる場合には、第１アグリゲータ４１０が、第１要求量の分配結果に基づいて制御内容を決定してもよい。
【０２９１】
（５−３）変形例３Ｃ
上記実施形態では、第１機器群５００及び第２機器群６００に含まれる機器は、全てヒートポンプ機器であるが、これに限定されるものではなく、その一部がヒートポンプ機器以外の機器であってもよい。また、デマンドレスポンスシステム１Ｃには、ヒートポンプ機器を含まない機器群（例えば電気自動車からのみなる機器群）のデマンドレスポンス関連制御を行う機器アグリゲータが含まれていてもよい。
【０２９２】
（５−４）変形例３Ｄ
上記実施形態では、第１機器群５００及び第２機器群６００に含まれる機器の種類が同一であるが、これに限定されるものではない。例えば、第１機器群には、製造者Ｚ１の製造した、暖房機器、ルームエアコン、及びヒートポンプ式給湯器が含まれ、第２機器群には、製造者Ｚ２の製造した、ルームエアコン、パッケージエアコン、及び冷蔵機器が含まれていてもよい。
【産業上の利用可能性】
【０２９３】
本発明に係るデマンドレスポンスシステムを利用すれば、全ての機器を制御する共通コマンドを開発することなく高精度のデマンドレスポンスを実現可能で、電力需給をバランスさせることが容易である。
【符号の説明】
【０２９４】
１Ａ，１Ｂ，１Ｃ  デマンドレスポンスシステム
１０，３１０，４１０  第１アグリゲータ
２０，３２０，４２０  第２アグリゲータ
３０，４３０  電力アグリゲータ（第１上位アグリゲータ）
５０  暖房機器アグリゲータ（第１上位アグリゲータ）
６０  ルームエアコンアグリゲータ（第１上位アグリゲータ）
７１  第３アグリゲータ（第１アグリゲータ）
７２  第４アグリゲータ（第２アグリゲータ）
７３  第５アグリゲータ（第２アグリゲータ）
１００  第１暖房機器群（第１機器群）
１００ａ  第１暖房機器（第１ヒートポンプ機器）
２００  第２暖房機器群（第２機器群）
２００ａ  第２暖房機器（第２ヒートポンプ機器）
３３０  電力アグリゲータ（第２上位アグリゲータ）
４００  電気自動車群（第２機器群）
４００ａ  電気自動車
４００ｂ  蓄電池
５００  第１機器群
６００  第２機器群
７１０  第１ルームエアコン群（第１機器群）
７１０ａ  第１ルームエアコン（第１ヒートポンプ機器）
７２０  第２ルームエアコン群（第２機器群）
７２０ａ  第２ルームエアコン（第２ヒートポンプ機器）
７３０  第３ルームエアコン群（第２機器群）
７３０ａ  第３ルームエアコン（第２ヒートポンプ機器）
【先行技術文献】
【特許文献】
【０２９５】
【特許文献１】特開２０１２−６５４０７号公報
【要約】
【課題】機器の電力使用量の制御を行うデマンドレスポンスシステムであって、全ての機器を制御する共通コマンドを開発することなく、高精度のデマンドレスポンスを実現可能なシステムを提供する。
【解決手段】デマンドレスポンスシステム１Ａは、第１及び第２アグリゲータ１０，２０及び電力アグリゲータ３０を備える。第１アグリゲータは、ヒートポンプ機器を含む第１暖房機器群１００の、第２アグリゲータは、第２暖房機器群２００の、デマンドレスポンス関連制御をそれぞれ行う。電力アグリゲータは、第１及び第２アグリゲータに、両アグリゲータに共通のコマンドを用いて、第２電力調整要求を送信する。第２電力調整要求に応じ、第１アグリゲータは、第１専用コマンドを用いて第１暖房機器群の、第２アグリゲータは、第１専用コマンドとは異なる第２専用コマンドを用いて第２暖房機器群の、デマンドレスポンス関連制御をそれぞれ行う。
【選択図】図１【図１】
0005594397.tif 000002
【図２】
0005594397.tif 000003
【図３】
0005594397.tif 000004
【図４】
0005594397.tif 000005
【図５】
0005594397.tif 000006
【図６】
0005594397.tif 000007
【図７】
0005594397.tif 000008
【図８】
0005594397.tif 000009
【図９】
0005594397.tif 000010
【図１０】
0005594397.tif 000011
【図１１】
0005594397.tif 000012
【図１２】
0005594397.tif 000013
【図１３】
0005594397.tif 000014
【図１４】
0005594397.tif 000015